(57)【特許請求の範囲】
【請求項１】
外部に露出した平面を有するかまたはユーザー操作によって平面が外部に露出した状態になる、機械的振動を音声として出力が可能な面状部材を複数備え、記録シートにトナー画像を形成する画像形成装置であって、
音声信号によって駆動されて機械的振動を出力する音声振動発生手段と、
前記音声振動発生手段が出力する機械的振動を、前記複数の面状部材のそれぞれに伝搬する複数の帯板状の伝搬経路と、
前記伝搬経路のそれぞれと、前記面状部材のそれぞれとの間に介在され、前記各面状部材への前記機械的振動の伝達と遮断とを切り替える振動伝達遮断機構と、
画像形成に係る機能を有する前記面状部材、または前記面状部材の近傍において画像形成に係る機能を有する所定部材が、音声による警報またはガイダンスを必要とする所定状態であるかを検出する複数の状態検出手段と、
前記状態検出手段によって所定状態であることが検出され、かつ、所定状態であることが検出された面状部材または所定部材の近傍の面状部材に対して、前記振動伝達遮断機構が振動伝達状態になっている場合に、必要とされる機械的振動が出力されるように前記音声振動発生手段を制御する制御手段と、
を備えることを特徴とする画像形成装置。
【請求項２】
前記複数の面状部材は、ユーザー操作により上面が開放される原稿台、ユーザー操作が可能なように外部に露出した手差し給紙台、給紙カセット、開閉部材、露出状態で配置された排紙トレイのうちの少なくとも２つであることを特徴とする請求項１に記載の画像形成装置。
【請求項３】
前記面状部材の１つが原稿台であり、
当該原稿台に機械的振動を伝達および遮断する振動伝達遮断機構は、当該原稿台の上面が開放されることによって振動伝達状態になり、
前記状態検出手段の１つが、当該原稿台における原稿の載置状態を検出することを特徴とする請求項１または２に記載の画像形成装置。
【請求項４】
前記面状部材の１つが、ユーザー操作によって、内部が開放状態とされる開閉部材であり、
当該開閉部材に機械的振動を伝達および遮断する振動伝達遮断機構は、当該開閉部材が通紙経路を開放状態とすることによって振動伝達状態になり、
前記状態検出手段の１つが、当該通紙経路の紙詰まりを検出することを特徴とする請求項１または２に記載の画像形成装置。
【請求項５】
前記開閉部材が、ユーザー操作により記録シートが載置可能な給紙状態に開放される手差し給紙台であることを特徴とする請求項４に記載の画像形成装置。
【請求項６】
前記面状部材の１つが、ユーザー操作によって消耗品を着脱できる状態に内部を開放状態とする開閉部材であり、
当該開閉部材に機械的振動を伝達および遮断する振動伝達遮断機構は、当該開閉部材が内部を開放することによって振動伝達状態になり、
前記状態検出手段の１つが、当該消耗品の交換時期を検出することを特徴とする請求項１または２に記載の画像形成装置。
【請求項７】
前記面状部材の１つが、ユーザー操作により記録シートが載置可能な給紙状態に開放される手差し給紙台であり、
当該手差し給紙台に機械的振動を伝達および遮断する振動伝達遮断機構は、当該手差し給紙台が給紙状態に開放されることによって振動伝達状態になり、
前記状態検出手段の１つが、当該原稿台における載置された原稿を検出することを特徴とする請求項１または２に記載の画像形成装置。
【請求項８】
前記面状部材の１つが、ユーザー操作によって装置本体から引き出された状態とされる給紙カセットに配置されており、
当該面状部材に機械的振動を伝達および遮断する振動伝達遮断機構は、当該給紙カセットが装置本体から引き出されることによって振動伝達状態になり、
前記状態検出手段の１つが、当該給紙カセットから繰り出される通紙経路の紙詰まり、または当該給紙カセット内に記録シートがないことを検出することを特徴とする請求項１または２に記載の画像形成装置。
【請求項９】
前記面状部材の１つが、画像が形成された記録シートが積載されるように、露出状態で配置された排紙トレイであり、
当該排紙トレイに対して機械的振動を伝達および遮断する振動伝達遮断機構が、前記制御手段によって機械的振動の伝達および遮断状態に切り替えられる構成であり、
前記状態検出手段の１つが、当該排紙トレイ上に積載される記録シートの高さ、または、当該排紙トレイ上に記録シートを排出する通紙経路の紙詰まりを検出することを特徴とする請求項１または２に記載の画像形成装置。
【発明の詳細な説明】
【技術分野】
【０００１】
本発明は、ユーザーに対して各種情報を音声によって伝えることができる画像形成装置に関する。
【背景技術】
【０００２】
プリンター、複写機、ＭＦＰ装置等の画像形成装置では、操作パネルの近傍にスピーカーを設けて、トラブルの発生、トラブル処理のガイダンス等を音声により出力することが知られている。
例えば特許文献１には、画像形成装置の正面に設けられた操作パネルにスピーカーを設けて、紙詰まり、トナー切れ等のトラブルが発生したときに、トラブルを解消するための手順を音声ガイダンスとしてスピーカーから出力する構成が開示されている。このような構成により、トラブルが発生した場合に、画像形成装置を操作するユーザーは、スピーカーから出力される音声ガイダンスに従って、トラブルを解消するための処理を実行することができる。
【先行技術文献】
【特許文献】
【０００３】
【特許文献１】特開２００３−１２２１９７号公報
【発明の概要】
【発明が解決しようとする課題】
【０００４】
特許文献１の構成では、スピーカーから出力される音声は、画像形成装置の前方へ向かって球面波として出力されるために、トラブルの処理を実行するユーザーだけでなく、画像形成装置の周囲の人にも聞こえることになる。この場合、スピーカーから出力される音声は、トラブルの処理を実行するユーザー以外の人にとって必要のない内容であるために、周囲の人は、スピーカーからの音声を騒音と捉えて不快に感じるおそれがある。
【０００５】
また、ユーザーがトラブル解消のために、画像形成装置の側方に位置している場合には、スピーカーから前方に向けて出力される音声を明確に聞き取ることができないおそれがある。
ユーザーがスピーカーから出力される音声を明確に聞き取ることができるようにするためには、トラブルが生じる可能性のある複数個所のそれぞれの近傍にスピーカーを配置して、それぞれのスピーカーから、各スピーカーの近傍において発生したトラブルに関する情報を出力する構成とすればよい。しかし、このような構成とする場合には、複数のスピーカーが必要であるために、経済性が損なわれるおそれがある。
【０００６】
本発明は、このような問題に鑑みてなされたものであり、その目的は、経済性を損なうことなく、また、周囲の人に不快感を与えることを抑制することができて、トラブル等の状態変化が生じたことを音声によってユーザーに適切に伝えることができ、しかも、ユーザーがトラブル等の状態変化に対して迅速に対処することができる画像形成装置を提供することにある。
【課題を解決するための手段】
【０００７】
上記目的を達成するため、本発明に係る画像形成装置は、外部に露出した平面を有するかまたはユーザー操作によって平面が外部に露出した状態になる、機械的振動を音声として出力が可能な面状部材を複数備え、記録シートにトナー画像を形成する画像形成装置であって、音声信号によって駆動されて機械的振動を出力する音声振動発生手段と、前記音声振動発生手段が出力する機械的振動を、前記複数の面状部材のそれぞれに伝搬する複数の帯板状の伝搬経路と、前記伝搬経路のそれぞれと、前記面状部材のそれぞれとの間に介在され、前記各面状部材への前記機械的振動の伝達と遮断とを切り替える振動伝達遮断機構と、画像形成に係る機能を有する前記面状部材、または前記面状部材の近傍において画像形成に係る機能を有する所定部材が、音声による警報またはガイダンスを必要とする所定状態であるかを検出する複数の状態検出手段と、前記状態検出手段によって所定状態であることが検出され、かつ、所定状態であることが検出された面状部材または所定部材の近傍の面状部材に対して、前記振動伝達遮断機構が振動伝達状態になっている場合に、必要とされる機械的振動が出力されるように前記音声振動発生手段を制御する制御手段と、を備えることを特徴とする。
【発明の効果】
【０００８】
本発明に係る画像形成装置では、音声振動発生手段から出力される機械的振動が、複数の面状部材から選択される１つに、伝搬経路および振動伝達遮断機構のそれぞれを介して伝達されて、その面状部材またはその近傍の所定部材の状態変化に対応した所定の音声が、当該面状部材から出力されるために、新たな部材を配置する必要がなく、ユーザーは、状態変化が生じている部分および状態変化の内容を適切に知ることができる。また、状態変化が生じた部分またはその近傍部分から音声が出力されるために、その状態変化に対して迅速に対処することができる。しかも、複数の箇所の状態変化に関する音声を１つの音声振動発生手段から出力するできるために、経済性が向上する。
【０００９】
好ましくは、前記複数の面状部材は、ユーザー操作により上面が開放される原稿台、ユーザー操作が可能なように外部に露出した手差し給紙台、給紙カセット、開閉部材、露出状態で配置された排紙トレイのうちの少なくとも２つであることを特徴とする。
好ましくは、前記面状部材の１つが原稿台であり、当該原稿台に機械的振動を伝達および遮断する振動伝達遮断機構は、当該原稿台の上面が開放されることによって振動伝達状態になり、前記状態検出手段の１つが、当該原稿台における原稿の載置状態を検出することを特徴とする。
好ましくは、前記面状部材の１つが、ユーザー操作によって、内部が開放状態とされる開閉部材であり、当該開閉部材に機械的振動を伝達および遮断する振動伝達遮断機構は、当該開閉部材が通紙経路を開放状態とすることによって振動伝達状態になり、前記状態検出手段の１つが、当該通紙経路の紙詰まりを検出することを特徴とする。
【００１０】
好ましくは、前記開閉部材が、ユーザー操作により記録シートが載置可能な給紙状態に開放される手差し給紙台であることを特徴とする。
好ましくは、前記面状部材の１つが、ユーザー操作によって消耗品を着脱できる状態に内部を開放状態とする開閉部材であり、当該開閉部材に機械的振動を伝達および遮断する振動伝達遮断機構は、当該開閉部材が内部を開放することによって振動伝達状態になり、前記状態検出手段の１つが、当該消耗品の交換時期を検出することを特徴とする。
【００１１】
好ましくは、前記面状部材の１つが、ユーザー操作により記録シートが載置可能な給紙状態に開放される手差し給紙台であり、当該手差し給紙台に機械的振動を伝達および遮断する振動伝達遮断機構は、当該手差し給紙台が給紙状態に開放されることによって振動伝達状態になり、前記状態検出手段の１つが、当該原稿台における載置された原稿を検出することを特徴とする。
【００１２】
好ましくは、前記面状部材の１つが、ユーザー操作によって装置本体から引き出された状態とされる給紙カセットに配置されており、当該面状部材に機械的振動を伝達および遮断する振動伝達遮断機構は、当該給紙カセットが装置本体から引き出されることによって振動伝達状態になり、前記状態検出手段の１つが、当該給紙カセットから繰り出される通紙経路の紙詰まり、または当該給紙カセット内に記録シートがないことを検出することを特徴とする。
【００１３】
好ましくは、前記面状部材の１つが、画像が形成された記録シートが積載されるように、露出状態で配置された排紙トレイであり、当該排紙トレイに対して機械的振動を伝達および遮断する振動伝達遮断機構が、前記制御手段によって機械的振動の伝達および遮断状態に切り替えられる構成であり、前記状態検出手段の１つが、当該排紙トレイ上に積載される記録シートの高さ、または、当該排紙トレイ上に記録シートを排出する通紙経路の紙詰まりを検出することを特徴とする。
【図面の簡単な説明】
【００１４】
【図１】本発明の実施形態に係る画像形成装置の一例であるＭＦＰ装置の構成を説明するための模式図である。
【図２】（ａ）は、図１のＭＦＰ装置に設けられた音声振動発生器の構成を説明するための断面図、（ｂ）は、音声振動発生器に設けられた振動板と一体的に振動可能になった伝搬経路を説明するための模式図である。
【図３】複数の伝搬経路、および、それぞれの伝搬経路によって機械的振動が伝達される音声出力部の構成を説明するための模式図である。
【図４】（ａ）および（ｂ）は、それぞれ、第１伝搬経路と第１音声出力部である原稿ガラスとの間に設けられた第１振動伝達遮断機構を説明するための模式図である。
【図５】（ａ）および（ｂ）は、第２伝搬経路と第２音声出力部である排紙トレイとの間に設けられた第２振動伝達遮断機構を説明するための模式図である。
【図６】第３伝搬経路と第３音声出力部である前扉との間に設けられた第３振動伝達遮断機構を説明するための模式図である。
【図７】第６伝搬経路と第６音声出力部である第１給紙カセットとの間に設けられた第６振動伝達遮断機構の構成を説明するための模式図である。
【図８】本実施形態のＭＦＰ装置の制御系の構成を示すブロック図である。
【図９】制御部によって実行される音声出力制御の処理手順を示すフローチャートである。
【図１０】両面コピー音声ガイダンス制御のサブルーチンの処理手順を示すフローチャートである。
【図１１】図９のフローチャートに連続する処理手順を示すフローチャートである。
【図１２】図１１のフローチャートに連続する処理手順を示すフローチャートである。
【図１３】図１２のフローチャートに連続する処理手順を示すフローチャートである。
【図１４】図１３のフローチャートに連続する処理手順を示すフローチャートである。
【図１５】図１４のフローチャートに連続する処理手順を示すフローチャートである。
【図１６】図１３のフローチャートに示されたサブルーチンの処理手順を説明するためのフローチャートである。
【図１７】第２伝搬経路と第２音声出力部である排紙トレイとの間に設けられた第２振動伝達遮断機構の変形例を説明するための模式図である。
【発明を実施するための形態】
【００１５】
＜画像形成装置＞
図１は、本発明の実施形態に係る多機能複写機であるＭＦＰ装置（Multiple Function Peripheral）の構成を説明するための模式図である。ＭＦＰ装置は、プリント（印刷）ジョブの実行指示を受け付けると、その指示に基づいて、周知の電子写真方式により、カラーまたは単色の画像を、記録用紙、ＯＨＰシート等の記録シートに形成する。プリントジョブには、記録シートの片面に画像を形成する片面プリント、両面に画像を形成する両面プリント等がある。
【００１６】
本実施形態のＭＦＰ装置は、図１に示すように、イエロー（Ｙ）、マゼンタ（Ｍ）、シアン（Ｃ）、ブラック（Ｋ）の各色のトナーによるトナー画像を形成する画像形成部２０と、画像形成部２０に記録シートＳを供給する給紙部６０とが設けられた装置本体Ａと、原稿の画像を読み取るために装置本体Ａ上に設けられた画像読取部Ｂと、原稿を画像読取部Ｂに搬送するために画像読取部Ｂ上に設けられたＡＤＦユニット（自動原稿搬送装置）Ｃと、を有している。
【００１７】
なお、図１は、ＭＦＰ装置の正面側から見た模式図であり、以下においては、正面側から向って右側および左側を、それぞれ、単に右側および左側と称する。
画像読取部Ｂの上面には、画像を読み取る原稿が載置される原稿台としての原稿ガラス（原稿台）１３が設けられている。画像読取部Ｂでは、原稿ガラス１３上に載置された原稿の画像面、または、ＡＤＦユニットＣによって搬送される原稿の画像面に、線状光源１１の光を照射し、原稿の画像面から反射された光を縮小光学系によってラインセンサー１２に縮小して投射するようになっている。ラインセンサー１２は、原稿の画像面からの反射光が投射されることにより、原稿画像に対応した画像データを生成する。
【００１８】
なお、原稿ガラス１３には、原稿ガラス１３上における所定位置に原稿が所定の状態で載置されたことを検出する光学式の原稿センサー８０が設けられている。原稿センサー８０は、原稿ガラス１３上において原稿が所定位置に所定の状態で載置されることによってオン状態になり、所定位置に所定の状態で載置されない場合（原稿が載置されていない場合を含む）にはオフ状態になる。
【００１９】
画像読取部Ｂにおける正面側の側面には、片面プリント、両面プリント等のジョブ実行の指示、各種データ入力等のためにユーザーによって操作される操作パネル１４が設けられている。なお、操作パネル１４には、原稿ガラス１３上に載置された原稿の両面の画像をコピーする場合にユーザーによって操作される両面コピーモードスイッチ１４ｂが設けられている。
【００２０】
ＡＤＦユニットＣは、画像読取部Ｂに対して、ヒンジ機構によって上下方向への回動自在に取り付けられている。ＡＤＦユニットＣは、下方に回動されると、画像読取部Ｂの上面を閉鎖した状態になり、このような状態で、原稿台１６上に載置された原稿を、画像読取部Ｂにおける原稿画像の読取位置にまで自動搬送して、原稿排出トレイ１７上に排出する。画像読取部Ｂは、ＡＤＦユニットＣによって搬送される原稿の画像を光学的に読み取ってラインセンサー１２に縮小して投射する。
【００２１】
なお、画像読取部Ｂには、ＡＤＦユニットＣが上方に回動されて原稿ガラス１３の上面が開放された状態になったことを検出するＡＤＦ開閉センサー８１が設けられている。
画像読取部Ｂの下方である装置本体Ａの上面には、トナー画像が形成された記録シートＳが排出される平板状の排紙トレイ２０ａが固定的に設けられている。排紙トレイ２０ａの上面は、上方の画像読取部Ｂとは適当な間隔をあけた状態になっており、装置本体Ａの外部に露出している。
【００２２】
画像形成部２０には、装置本体Ａの上下方向のほぼ中央部に、一対のローラー２１ａおよび２１ｂに水平状態に張架された中間転写ベルト２１が設けられている。中間転写ベルト２１は、矢印Ｘで示す方向に周回移動する。
中間転写ベルト２１の下方には、イエロー（Ｙ）、マゼンタ（Ｍ）、シアン（Ｃ）、ブラック（Ｋ）の各色のトナーによって中間転写ベルト２１上にトナー画像を形成するためのプロセスユニット２２Ｙ、２２Ｍ、２２Ｃ、２２Ｋが、中間転写ベルト２１の周回移動方向の上流側（左側）から下流側（右側）に沿ってその順番で配置されている。
【００２３】
各プロセスユニット２２Ｙ、２２Ｍ、２２Ｃ、２２Ｋは、それぞれ、装置本体Ａに対して着脱可能になっており、装置本体Ａの正面側に設けられた平板状の前扉（開閉部材）２０ｂが開放されることによって、各プロセスユニット２２Ｙ、２２Ｍ、２２Ｃ、２２Ｋは装置本体Ａに対して着脱される。
面状部材である前扉２０ｂは、装置本体の正面側側面に沿った垂直な状態（閉状態）で、下側の側縁を中心として、上側の側縁が前側下方に回動されることによって水平な状態（開状態）になり、これによって、画像形成部２０の内部が開放される。装置本体Ａには、前扉２０ｂが開放されたことを検出する前扉開閉センサー８３が設けられている。
【００２４】
なお、装置本体Ａの画像形成部２０には、各プロセスユニット２２Ｙ、２２Ｍ、２２Ｃ、２２Ｋのそれぞれが装置本体Ａに装着されたことをそれぞれ検出するＹユニット着脱センサー８５ａ、Ｍユニット着脱センサー８５ｂ、Ｃユニット着脱センサー８５ｃ、Ｋユニット着脱センサー８５ｄが設けられている。
Ｙ色のトナー画像を形成するプロセスユニット２２Ｙには、中間転写ベルト２１に対向して配置された感光体ドラム２３Ｙと、この感光体ドラム２３Ｙの表面を帯電させる帯電装置２４Ｙと、帯電装置２４Ｙにて帯電された後に感光体ドラム２３Ｙの表面に形成された静電潜像をＹ色のトナーによって現像する現像器２５Ｙとが設けられている。
【００２５】
感光体ドラム２３Ｙの表面の静電潜像は、露光装置２７から照射されるレーザー光によって形成されるようになっている。現像器２５Ｙにて現像された感光体ドラム２３Ｙの表面上のＹ色のトナー画像は、１次転写ローラー２６Ｙの静電作用によって中間転写ベルト２１上に転写される。
Ｍ、Ｃ、Ｋの各色トナー用のそれぞれのプロセスユニット２２Ｍ、２２Ｃ、２２Ｋも、Ｙ色トナー用のプロセスユニット２２Ｙと同様の構成になっており、露光装置２７からそれぞれの感光体ドラムの表面に照射されるレーザー光によって形成された静電潜像が、それぞれの現像器によって、Ｍ、Ｃ、Ｋの各色のトナーによって現像される。各感光体ドラム上に形成されたＭ、Ｃ、Ｋの各色のトナー像は、プロセスユニット２２Ｍ、２２Ｃ、２２Ｋとは中間転写ベルト２１を挟んで配置された１次転写ローラーによって、中間転写ベルト２１上におけるＹ色のトナー画像が転写された領域と同一の領域上に、順次、重ねて転写される。
【００２６】
プロセスユニット２２Ｙ、２２Ｍ、２２Ｃ、２２Ｋのそれぞれに設けられた現像器（２５Ｙ等）には、排紙トレイ２０ａの下方に設けられたトナーカートリッジ２９Ｙ、２９Ｍ、２９Ｃ、２９Ｋから、Ｙ、Ｍ、Ｃ、Ｋのトナーがそれぞれ供給されるようになっている。各現像器（２５Ｙ等）には、現像器内のトナー濃度を検出するトナー濃度センサー９８ａ、９８ｂ、９８ｃ、９８ｄがそれぞれ設けられており、各トナー濃度センサー９８ａ〜９８ｄの出力に基づいて、トナーカートリッジ２９Ｙ、２９Ｍ、２９Ｃ、２９Ｋ内のトナーが、Ｙ、Ｍ、Ｃ、Ｋの各現像器に供給される。
【００２７】
なお、Ｙ、Ｍ、Ｃ、Ｋの各トナー濃度センサー９８ａ〜９８ｄの出力に基づいて、各トナーカートリッジ２９Ｙ、２９Ｍ、２９Ｃ、２９Ｋ内のトナーがなくなったことが検出される。
各トナーカートリッジ２９Ｙ、２９Ｍ、２９Ｃ、２９Ｋのそれぞれは、装置本体Ａの画像形成部２０に着脱可能になっており、前扉２０ｂが開状態になることによって、各トナーカートリッジ２９Ｙ、２９Ｍ、２９Ｃ、２９Ｋは、画像形成部２０に対して着脱可能になる。画像形成部２０には、各トナーカートリッジ２９Ｙ、２９Ｍ、２９Ｃ、２９Ｋのそれぞれが画像形成部２０に装着されたことを検出するＹトナーカートリッジセンサー９９ａ、Ｍトナーカートリッジセンサー９９ｂ、Ｃトナーカートリッジセンサー９９ｃ、Ｋトナーカートリッジセンサー９９ｄが設けられている。
【００２８】
矢印Ｘで示す中間転写ベルト２１の移動方向の下流側端部（右側の端部）には、転写ローラー２７が圧接されており、その圧接部分に、給紙部６０から搬送される記録シートＳが通過する転写ニップＮｔが形成されている。中間転写ベルト２１上に転写されたトナー画像は、転写ニップＮｔを通過する記録シートＳに、転写ローラー２７と中間転写ベルト２１との間に形成された電界の作用によって転写される。
【００２９】
画像形成部２０の下方に設けられた給紙部６０には、それぞれが水平状態であって、上下方向に並んで配置された第１給紙カセット６１Ａ、第２給紙カセット６１Ｂ、第３給紙カセット６１Ｃ、第４給紙カセット６１Ｄが上側からその順番で設けられている。第１〜第４の各給紙カセット６１Ａ〜６１Ｄの内部には、それぞれ所定サイズの記録シートＳが収容されるようになっている。
【００３０】
第１〜第４の給紙カセット６１Ａ〜６１Ｄ内に収容された記録シートＳは、それぞれの右側に設けられた第１〜第４の繰り出し経路６２Ａ〜６２Ｄへ繰り出される。第１〜第４の繰り出し経路６２Ａ〜６２Ｄへそれぞれ繰り出された記録シートＳは、給紙経路６３を通って、レジストローラー６７にまで搬送される。レジストローラー６７は、給紙経路６３を搬送された記録シートＳを、中間転写ベルト２１の周回移動に合わせた所定のタイミングで搬送経路６６へ供給する。搬送経路６６へ供給された記録シートＳは、転写ニップＮｔへ搬送される。
【００３１】
第１〜第４の各給紙カセット６１Ａ〜６１Ｄのそれぞれは、装置本体Ａの給紙部６０から前方（正面側）に引き出されることによって、それぞれの内部に記録シートＳを補給することができるようになっている。
給紙部６０には、第１〜第４の給紙カセット６１Ａ〜６１Ｄのそれぞれが装置本体Ａから引き出されることによってオン状態になる第１給紙カセット着脱センサー９２ａ、第２給紙カセット着脱センサー９２ｂ、第３給紙カセット着脱センサー９２ｃ、第４給紙カセット着脱センサー９２ｄが設けられている。
【００３２】
また、給紙部６０には、第１〜第４の給紙カセット６１Ａ〜６１Ｄのそれぞれから記録シートＳが繰り出される第１〜第４の繰り出し経路６２Ａ〜６２Ｄにおいて記録シートＳが紙詰まり（ＪＡＭ）になったことを検出する第１繰り出しＪＡＭセンサー９３ａ、第２繰り出しＪＡＭセンサー９３ｂ、第３繰り出しＪＡＭセンサー９３ｃ、第４繰り出しＪＡＭセンサー９３ｄが設けられている。
【００３３】
さらに、給紙部６０には、第１〜第４の給紙カセット６１Ａ〜６１Ｄのそれぞれ内部に設けられた載置板６１ｘ上の記録シートＳがなくなったことを検出する第１給紙センサー９４ａ、第２給紙センサー９４ｂ、第３給紙センサー９４ｃ、第４給紙センサー９４ｄが設けられている。第１〜第４の給紙センサー９４ａ〜９４ｄのそれぞれは、第１〜第４の給紙カセット６１Ａ〜６１Ｄ内における載置板６１ｘ上の記録シートＳがなくなったことを検出することによってオン状態になる。
【００３４】
また、給紙経路６３には、搬送される記録シートＳが給紙経路６３において紙詰まり状態になったことを検出する給紙ＪＡＭセンサー８７が設けられている。
なお、装置本体Ａにおける給紙経路６３に対向した右側の側面には、面状部材である右扉（開閉部材）６４が開閉可能に設けられている。右扉６４は、装置本体Ａの右側の側面に沿った垂直な状態（閉状態）で、背面側の垂直な側縁部を回動支点として、正面側の側縁部が右側側方に回動されることにより、開状態になる。
【００３５】
右扉６４が開状態になると、給紙部６０の内部が開放された状態になり、給紙経路６３が装置本体Ａの外部に露出し、給紙経路６３における記録シートＳの紙詰まりの解消等を行うことができる。
装置本体Ａの給紙部６０には、右扉６４が開放されたことを検出する右扉開閉センサー８６が設けられている。
【００３６】
給紙部６０の上部における装置本体Ａの右側側面には、記録シートＳを手差し給紙する面状部材としての手差し給紙台６５が設けられている。手差し給紙台６５は、通常は、装置本体Ａの右側側面に沿った垂直な閉状態になっているが、手差し給紙を行う場合には、手差し給紙台６５の上部が右側下方に回動されてほぼ水平な給紙状態とされる。このような給紙状態では、手差し給紙台６５上に載置された記録シートＳが、１枚ずつ、手差し経路６９を通ってレジストローラー６７へ搬送されて、レジストローラー６７によって、搬送経路６６を通って、転写ニップＮｔへ搬送される。
【００３７】
なお、装置本体Ａには、手差し給紙台６５が垂直な閉状態から給紙状態になったことを検出する手差し開閉センサー８８が設けられている。また、手差し給紙台６５には、水平な給紙状態で手差し給紙台６５上に記録シートＳが載置されたことを検出する手差しシートセンサー９１が設けられている。さらに、装置本体Ａには、手差し給紙台６５に載置された記録シートＳがレジストローラー６７へ繰り出す手差し経路６９において記録シートＳが紙詰まり状態であることを検出する手差しＪＡＭセンサー８９が設けられている。
【００３８】
なお、レジストローラー６７から供給される記録シートＳを転写ニップＮｔへ搬送する搬送経路６６には、搬送される記録シートＳが紙詰まりになったことを検出する搬送ＪＡＭセンサー８４が設けられている。搬送経路６６は、前扉２０ｂが開状態となることによって、外部に開放された状態になり、搬送経路６６において紙詰まり状態になった記録シートＳを取り除くことができる。
【００３９】
転写ニップＮｔを通過した記録シートＳは、転写ニップＮｔの上方に設けられた定着部５０へ搬送される。定着部５０は、相互に対向配置された加圧ローラー５１と加熱ベルト５２とを備えており、転写ニップＮｔにてトナー画像が転写された記録シートＳが加圧ローラー５１と加熱ベルト５２との間を通過することにより加熱および加圧されて記録シートＳ上に熱定着される。
【００４０】
定着部５０を通過した記録シートＳは、排紙経路６８を通って、排紙ローラー２９へ搬送され、排紙ローラー２９によって排紙トレイ２０ａ上に排出される。排紙ローラー２９によって排紙トレイ２９ａ上に順次排出される記録シートＳは、排紙トレイ２０ａ上に積載される。
排紙経路６８には、記録シートＳが紙詰まり状態になったことを検出する排紙ＪＡＭセンサー８２が設けられている。
【００４１】
また、排紙トレイ２０ａにおける記録シートＳの排出方向の上流側に位置する側面部分には、排紙トレイ２０ａ上に排出された記録シートＳが予め設定された所定枚数に達したことを光学的に検出する排紙高さセンサー９５が設けられている。排紙高さセンサー９５は、排紙トレイ２０ａ上に排出された記録シートＳが所定枚数（高さ）に達することによってオン状態になる。
【００４２】
なお、排紙ローラー２９に対向して、定着部５０を通過した記録シートＳを転写ニップＮｔへ循環させるシート循環経路２８が配置されている。排紙ローラー２９へ搬送される記録シートＳは、両面コピーモード等の両面プリントジョブの場合に、排紙ローラー２９によって記録シートＳがシート循環経路２８に供給される。シート循環経路２８に供給された記録シートＳは、シート循環経路２８を通過すると、表裏を反転された状態で、レジストローラー６７へ搬送されて、レジストローラー６７から搬送経路６６を通って転写ニップＮｔへ搬送される。
【００４３】
画像形成部２０の内部には、音声信号によって駆動されて機械的振動を発生する音声振動発生器３２が設けられている。音声振動発生器３２は、画像形成部２０の上部における背面側部分に配置されている。音声振動発生器３２によって生じた機械的振動は、予め設定された複数個所に伝搬されるように構成されている。
図２（ａ）は、音声振動発生器３２の構成を説明するための横断面図である。また、図２（ｂ）は、音声振動発生器３２に取り付けられた振動板３３および伝搬経路３４ａ〜３４ｉを説明するための背面側から見た模式図である。
【００４４】
図２（ａ）に示すように、音声振動発生器３２は、一端面が閉鎖された円筒形状の外ヨーク３２ａと、外ヨーク３２ａ内に同心状態で取り付けられた磁石３２ｂと、磁石３２ｂ上において外ヨーク３２ａと間隙をあけて同心状態で取り付けられた内ヨーク３２ｃとを有しており、外ヨーク３２ａの閉鎖された端面が、装置本体Ａの背面側フレーム３５に取り付けられている。
【００４５】
外ヨーク３２ａと、磁石３２ｂと、内ヨーク３２ｃとは磁気回路を形成しており、外ヨーク３２ａと、内ヨーク３２ｃとの間に磁気ギャップが形成されている。磁気ギャップには、ボイスコイル３２ｄが配置されている。ボイスコイル３２ｄは、外ヨーク３２ａに嵌合されており、一方の端部がコイル固定部材３２ｅに取り付けられている。
コイル固定部材３２ｅは、外ヨーク３２ａと同心状態の円板状部分と、外ヨーク３２ａの外周面に間隔をあけて嵌合される円筒部とを有しており、円筒部と外ヨーク３２ａの外周面との間にサスペンション３２ｆが設けられている。コイル固定部材３２ｅには振動板３３が取り付けられている。
【００４６】
音声振動発生器３２は、ボイスコイル３２ｄに音声信号が入力されることにより、ボイスコイル３２ｄが軸方向に振動される。これにより、振動板３３がボイスコイル３２ｄと一体となって同方向に振動する。
振動板３３は、図２（ｂ）に示すように、コイル固定部材３２ｅの円板状部分よりも大きな面積を有する金属板（板金）によって構成されている。振動板３３は、振動伝搬係数が高く、しかも、内部減衰率の低い金属材料（例えば鉄）によって構成されている。
【００４７】
図２（ｂ）に示すように、振動板３３には、音声振動発生器３２によって振動板３３に生じた機械的振動を、音声出力部として予め設定された複数の面状部材（本実施形態では９つ）のそれぞれに伝搬するために、第１〜第９の伝搬経路３４ａ〜３４ｉが設けられている。
第１〜第９の伝搬経路３４ａ〜３４ｉのそれぞれは、装置本体Ａ内において、所定の方向に折り曲げられること等によって延長方向が変更されて、それぞれの先端部が、所定の各音声出力部の近傍に位置している。
【００４８】
第１〜第９の伝搬経路３４ａ〜３４ｉのそれぞれは、音声振動発生器３２による振動板３３の機械的振動を、それぞれの先端部にまで伝達できるように、振動板３３と同様に、高振動伝搬係数であって内部減衰率の低い材料によって構成されている。第１〜第９の伝搬経路３４ａ〜３４ｉとしては、板金が好適に使用することができ、本実施形態では、鉄製の板金によって、幅が２〜３ｃｍ程度の帯板状に構成されている。
【００４９】
また、第１〜第９の各伝搬経路３４ａ〜３４ｉは、装置本体Ａ内において、背面側フレーム３５に沿った部分が、伝搬経路３４ａ〜３４ｉを伝搬される機械的振動の減衰を抑制した状態で支持されている。具体的には、各伝搬経路３４ａ〜３４ｉは、背面側フレーム３５にネジ３７によって取り付けられた円板形状の支持部材３８によって、背面側フレーム３５に沿った状態に支持されている。
【００５０】
各支持部材３８は、各伝搬経路３４ａ〜３４ｉにおける機械的振動の減衰を抑制することができるとともに、背面側フレーム３５に対する振動伝達率が小さな材料（例えば、スポンジ）によって構成されている。
第１〜第９の各伝搬経路３４ａ〜３４ｉのそれぞれには、振動板３３の機械的振動が伝播する。各伝搬経路３４ａ〜３４ｉを伝播する機械的振動は、空気伝播音として周囲に伝達される。しかし、各伝搬経路３４ａ〜３４ｉの幅が２〜３ｃｍ程度の帯板状に構成されているために、空気伝播音として伝達される音量が比較的小さくなっている。しかも、各伝搬経路３４ａ〜３４ｉが、背面側フレーム３５と装置本体の背面との間の空間内に配置されており、その空間が内部の音を外部へほとんど漏出しない構成になっているために、各伝搬経路３４ａ〜３４ｉから発生した機械的振動が空気伝播音として漏出する際の音量がきわめて小さく、周囲の人が騒音として認識することを抑制できる。
【００５１】
図３は、第１〜第９の伝搬経路３４ａ〜３４ｉと、それぞれの先端部の近傍に位置する音声出力部との構成を説明するための模式図である。第１〜第９の伝搬経路３４ａ〜３４ｉのそれぞれの先端部の近傍に位置する第１〜第９の音声出力部は、それぞれが、外部に露出した平面を有する面状部材であるか、またはユーザー操作によって平面が外部に露出した状態になる面状部材になっている。
【００５２】
第１〜第９の音声出力部は、図３に示すように、画像読取部Ｂに設けられた原稿ガラス１３、装置本体Ａの上面に設けられた排紙トレイ２０ａ、装置本体Ａの正面側に設けられた前扉２０ｂ、装置本体Ａの右側の側面に設けられた右扉６４、右扉６４の上側に設けられた手差し給紙台６５、給紙部６０の４つの第１〜第４の給紙カセット６１Ａ〜６１Ｄ内に設けられた面状部材としての規制板６１ａ（図６参照）である。
【００５３】
なお、第１〜第９の音声出力部を構成するそれぞれの面状部材は、周囲の部材へ機械的振動が伝搬されないように構成されている。
振動板３３の振動を伝搬する第１〜第９の伝搬経路３４ａ〜３４ｊと、それぞれの音声出力部との間には、機械的振動を伝達および遮断する第１〜第９の振動伝達遮断機構７１〜７９が設けられている。
【００５４】
図４（ａ）および（ｂ）は、それぞれ、第１伝搬経路３４ａの先端部と、第１の音声出力部としての原稿ガラス１３との間に設けられた第１振動伝達遮断機構７１を説明するための模式図である。第１振動伝達遮断機構７１は、第１伝搬経路３４ａの先端部に伝搬された機械的振動を、原稿ガラス１３に伝達および遮断するために設けられている。原稿ガラス１３は、第１伝搬経路３４ａを伝搬された機械的振動が伝達されることによって、その機械的振動に対応した音声を空気伝播音として出力する。
【００５５】
第１伝搬経路３４ａは、図２（ｂ）に示すように、装置本体Ａ内における背面側部分を上方へ延伸して、装置本体Ａの上部から画像読取部Ｂ内の背面側部分に進入しており、先端部が原稿ガラス１３に向うように水平に折り曲げられている。第１伝搬経路３４ａの先端部は、原稿ガラス１３の背面側において、原稿ガラス１３とは適当な間隔をあけた状態で配置されている。
【００５６】
図４（ａ）および（ｂ）に示すように、第１振動伝達遮断機構７１は、第１伝搬経路３４ａの先端部における機械的振動を原稿ガラス１３に伝達する振動伝達板７１ａと、ＡＤＦユニットＣの開閉によって振動伝達板７１ａを第１伝搬経路３４ａの先端部に対して接触および離間させるためにＡＤＦユニットＣに垂直状態で取り付けられた軸状の駆動部材７１ｂとを有している。
【００５７】
振動伝達板７１ａは、可撓性を有する帯板状の板金によって構成されており、長手方向の一方の側部が、原稿ガラス１３の下面に密着した状態で取り付けられている。原稿ガラス１３に取り付けられた振動伝達板７１ａは、原稿ガラス１３の下面から第１伝搬経路３４ａに向って水平に延出しており、その先端部が、第１伝搬経路３４ａの水平状態となった先端部の下面に接触した状態になっている。
【００５８】
駆動部材７１ｂは、原稿ガラス１３と第１伝搬経路３４ａの先端部との間に位置しており、図４（ａ）に示すように、原稿ガラス１３がＡＤＦユニットＣによって閉鎖された状態では、原稿ガラス１３と第１伝搬経路３４ａの先端部との間に位置する振動伝達板７１ａを下方に押し下げる。これにより、振動伝達板７１ａは、原稿ガラス１３から水平に延出した部分が下方に撓んだ状態になり、振動伝達板７１ａの先端部と第１伝搬経路３４ａの先端部とが離間した非接触状態になる。このような状態では、第１伝搬経路３４ａの先端部に伝達された機械的振動は原稿ガラス１３に伝達されない。
【００５９】
これに対して、ＡＤＦユニットＣが画像読取部Ｂに対して上方に回動されて原稿ガラス１３の上面が開放された状態になると、図４（ｂ）に示すように、駆動部材７１ｂは、ＡＤＦユニットＣとともに上方に移動し、振動伝達部材７１ａとは離間した状態になる。これにより、可撓性を有する振動伝達部材７１ａは下方に湾曲した状態を解消して、振動伝達部材７１ａ自体の可撓性によって、第１伝搬経路３４ａの先端部と接触した状態になる。
【００６０】
このような状態になると、第１伝搬経路３４ａの先端部に伝搬された機械的振動が原稿ガラス１３に伝達されて原稿ガラス１３は機械的に振動する。これにより、原稿ガラス１３からは、音声振動発生器３２によって発生されて第１伝搬経路３４ａを伝搬した所定の機械的振動が音声として出力される。
この場合、第１伝搬経路３４ａを伝搬する機械的振動は、第１伝搬経路３４ａの幅（２〜３ｃｍ程度）よりも広い幅になった原稿ガラス１３からは、大きな音量で原稿ガラス１３から出力される。
【００６１】
図５（ａ）および（ｂ）は、第２伝搬経路３４ｂと、第２の音声出力部としての排紙トレイ２０ａとの間に設けられた第２振動伝達遮断機構７２を説明するための模式図である。第２振動伝達遮断機構７２は、第２伝搬経路３４ｂの先端部に伝搬された機械的振動を、排紙トレイ２０ａに伝達および遮断するために設けられている。
図５（ａ）および（ｂ）に示すように、第２振動伝達遮断機構７２は、例えば、第２伝搬経路３４ｂの機械的振動を排紙トレイ２０ａに伝達するために、排紙トレイ２０ａと、第２伝搬経路３４ｂの先端部との間に配置された振動伝達板７２ａと、振動伝達板７２ａを排紙トレイ２０ａおよび第２伝搬経路３４ｂの先端部に対して接触および離間させるソレノイド７２ｂとを有している。
【００６２】
ソレノイド７２ｂのプランジャー７２ｃは垂直状態に配置されており、上方に向って付勢されている。プランジャー７２ｃの上端部には、水平状態になった振動伝達板７２ａが、スペーサー７２ｄを介して取り付けられている。スペーサー７２ｄは、振動伝達板７２ａが機械的に振動した場合に、その機械的振動の減衰を抑制するとともに、振動伝達板７２ａの機械的振動がプランジャー７２ｃに伝達されることを抑制する機能を有していればよく、前述した各伝搬経路３４ａ〜３４ｉと背面側フレーム３５との間に介在されるスペーサーと同じ材料（例えばスポンジ）によって構成されている。
【００６３】
ソレノイド７２ｂは、駆動されない通常の状態では、付勢力によって上方に付勢されたプランジャー７２ｃによって、振動伝達板７２ａを、排紙トレイ２０ａおよび第２伝搬経路３４ｂの先端部からそれぞれ離間させており、ソレノイド７２ｂが駆動されると、プランジャー７２ｃが下方に牽引されて、振動伝達板７２ａは下方に平行移動される。これにより、振動伝達板７２ａは、排紙トレイ２０ａおよび第２伝搬経路３４ｂの先端部の両方に接触した状態になり、第２伝搬経路３４ｂの先端部に伝搬された機械的振動が排紙トレイ２０ａへ伝達される。従って、排紙トレイ２０ａからは、第２伝搬経路３４ｂの先端部に伝搬された機械的振動に対応した所定の音声が空気伝播音として出力される。
【００６４】
図６は、第３の音声出力部としての前扉２０ｂと第３伝搬経路３４ｃとの間に設けられた第３振動伝達遮断機構７３を説明するための模式図である。第３伝搬経路３４ｃは、背面側フレーム３５から正面側に向って水平状態で延びており、その先端部は、前扉２０ｂの下方に位置している。前扉２０ｂの下側の側縁部は、前扉２０ｂが画像形成部２０の内部を閉鎖した垂直状態（閉状態）では、第３伝搬経路３４ｃの先端部と接触しないように間隔をあけた状態で、画像形成部２０の内部（背面側）に向って円弧状に湾曲している。
【００６５】
前扉２０ｂは、前扉２０ｂの上側縁が前側下方に回動されて水平な開状態になると、前扉２０ｂにおける湾曲状態になった下側の側縁部に連続した平坦面が、第３伝搬経路３４ｃの先端部とは面接触状態になる。これにより、第３伝搬経路３４ｃの先端部に伝搬された機械的振動が、開状態（水平状態）になった前扉２０ｂへ伝達される。従って、前扉２０ｂからは、第３伝搬経路３４ｃの先端部に伝搬された機械的振動に対応した所定の音声が空気伝播音として出力される。
【００６６】
このように、第３振動伝達遮断機構７３は、前扉２０ｂにおける回動支点の近傍の湾曲状態になった側縁部と、その側縁部に対向して配置された第３伝搬経路３４ｃの先端部とによって構成されている。
第４音声出力部としての右扉６４と第４伝搬経路３４ｄとの間に設けられた第４振動伝達遮断機構７４は、図６に示した第３振動伝達遮断機構７３と同様の構成になっているが、右扉６４が背面側の垂直状態になった側縁部を回動支点として回動することから、第４伝搬経路３４ｄの先端部は、右扉６４の背面側の側縁部の近傍に垂直状態で配置されている。また、右扉６４の回動支点の近傍である背面側の側縁部が湾曲状態になっており、この湾曲部分と垂直状態に配置された第４伝搬経路３４ｄの先端部とによって第４振動伝達遮断機構７４が構成されている。
【００６７】
このような構成により、右扉６４が、給紙部６０の内部を閉鎖した状態では、第４伝搬経路３４ｄの先端部と右扉６４とが離間しており、第４伝搬経路３４ｄを伝搬した機械的振動は、右扉６４に伝達されず、右扉６４から音声は出力されない。しかし、右扉６４の正面側の側縁部が背面側の側縁部を支点として背面側に回動されて給紙部６０の内部が開放された状態になると、第４伝搬経路３４ｄの先端部と右扉６４とが接触状態になり、第４伝搬経路３４ｄの先端部に伝搬された機械的振動は、開状態になった右扉６４に伝達される。これにより、右扉６４からは、第４伝搬経路３４ｄの先端部に伝搬された機械的振動に対応した所定の音声が空気伝播音として出力される。
【００６８】
第５の音声出力部としての手差し給紙台６５と第５伝搬経路３４ｅとの間に設けられた第５振動伝達遮断機構７４も、図６に示した第３振動伝達遮断機構７３と同様の構成になっており、従って、第５振動伝達遮断機構７４は、水平状態に配置された第５伝搬経路３４ｅの先端部と、手差し給紙台６５の回動支点の近傍の湾曲状態になった下側の側縁部とによって構成されている。
【００６９】
このような構成により、手差し給紙台６５が、装置本体の側面に沿った垂直状態（閉状態）では、第５伝搬経路３４ｅの先端部と手差し給紙台６５とが離間した非接触状態になっており、第５伝搬経路３４ｅを伝搬した機械的振動は手差し給紙台６５に伝達されず、手差し給紙台６５から音声は出力されない。しかし、手差し給紙台６５の上側の側縁部が下側の側縁部を支点として回動されて、給紙部６０の内部が開放された水平な給紙状態になると、第５伝搬経路３４ｅの先端部と手差し給紙台６５とが接触状態になり、第５伝搬経路３４ｅの先端部に伝搬された機械的振動は、給紙状態になった手差し給紙台６５に伝達される。これにより、水平状態（給紙状態）になった手差し給紙台６５からは、第５伝搬経路３４ｅの先端部に伝搬された機械的振動に対応した所定の音声が空気伝播音として出力される。
【００７０】
図７は、第６伝搬経路３４ｆと、第６の音声出力部としての第１給紙カセット６１Ａとの間に設けられた第６振動伝達遮断機構７６の構成を説明するための模式図である。なお、図７は、第１給紙カセット６１Ａが装置本体Ａの給紙部６０から正面側（前方）に引き出された状態を示している。
第６伝搬経路３４ｆは、背面側フレーム３５に沿って、下方に向って垂直状態で延長されて、給紙部６０における第１給紙カセット６１Ａが収容される内部空間の下側を正面側に向って水平状態で通過するように折り曲げられている。第６伝搬経路３４ｆの先端部は、第１給紙カセット６１Ａが収容される空間部分の正面側の下部に位置しており、その先端部が上方に突出するように屈曲されている。
【００７１】
第１給紙カセット６１Ａ内には、内部に収容された記録シートＳが載置される載置板６１ｘ（図１参照）が設けられるとともに、当該載置板６１ｘ上に載置された記録シートＳの幅方向（給紙方向とは直交方向）の側縁を揃えるための規制板６１ａが面状部材として設けられている。規制板６１ａは、記録シートＳの幅方向の側縁に接触する垂直部分６１ｍと、その垂直部分６１ｍの下端部において水平状態となるように屈曲された水平部分６１ｎとを有しており、その水平部分６１ｎが、第１給紙カセット６１Ａの底面に沿って配置されている。
【００７２】
規制板６１ａは、垂直部分６１ｍが、例えば背面側に位置する第１給紙カセット６１Ａの側面に対して接近および離間するように水平部分６１ｎが、第１給紙カセット６１Ａの底面に沿ってスライドするように構成されており、第１給紙カセット６１Ａの側面と垂直部分６１ｍとによって第１給紙カセット６１Ａ内に収容された記録シートＳの側縁部を揃えるようになっている。
【００７３】
なお、規制板６１ａは、第１給紙カセット６１Ａが給紙部６０から引き出されることによって、規制板６１ａにおける垂直部分６１ｍの大部分が、装置本体Ａの給紙部６０から外部に位置された状態になる。また、第１給紙カセット６１Ａ内において、規制板６１ａにおける垂直部分６１ｍの上側縁は、予め設定された所定枚数の記録シートＳが収容された場合に、最上部の記録シートＳとは適当な間隔が形成されるように構成されている。
【００７４】
第１給紙カセット６１Ａの底面における背面側部分には、第１給紙カセット６１Ａが給紙部６０から引き出された際に、給紙部６０の正面側に位置する第６伝搬経路３４ｆの上方に向って屈曲された先端部が進入する開口部６１ｃが設けられている。この開口部６１ｃの上側には、規制板６１ａの下部に設けられた水平部分６１ｎが位置している。
また、第１給紙カセット６１Ａの底面には、第１給紙カセット６１Ａが給紙部６０内に収容される際に、第６伝搬経路３４ｆの先端部と摺接する防振板６１ｄが、第６伝搬経路３４ｆに対向する下側面に設けられている。第６伝搬経路３４ｆの先端部は、第１給紙カセット６１Ａが給紙部６０内に収容された状態では、防振板６１ｄに接触して、下方に撓んだ状態になる。
【００７５】
このような構成の第６振動伝達遮断機構７６は、第１給紙カセット６１Ａが給紙部６０内に収容された状態では、第６伝搬経路３４ｆの屈曲された先端部は、防振板６１ｄに接触して下側に撓んだ状態になる。従って、第６伝搬経路３４ｆの先端部に伝搬した機械的振動は、第１給紙カセット６１Ａの防振板６１ｄによって吸収されて、第１給紙カセット６１Ａ内の規制板６１ａには伝達されない。
【００７６】
これに対して、第１給紙カセット６１Ａが給紙部６０から引き出された状態になると、図７に示すように、第６伝搬経路３４ｆの屈曲された先端部は、第１給紙カセット６１Ａの防振板６１ｄとは非接触状態になって、第６伝搬経路３４ｆの先端部自体の可撓性によって撓んだ状態が解消され、第１給紙カセット６１Ａの背面側の底面に設けられた開口部６１ｃ内に進入した状態になる。これにより、第６伝搬経路３４ｆの先端部は、第１給紙カセット６１Ａ内の規制板６１ａにおける水平部分６１ｎに接触した状態になり、第６伝搬経路３４ｆの先端部に伝搬した機械的振動は規制板６１ａに伝達される。規制板６１ａに伝達された機械的振動によって、規制板６１ａの垂直部分６１ｍも機械的に振動し、垂直部分６１ｍからは、第６伝搬経路３４の先端部に伝搬された機械的振動に対応した所定の音声が出力される。
【００７７】
第７の音声出力部である第２給紙カセット６１Ｂと第７伝搬経路３４ｇとの間に設けられた第７振動伝達遮断機構７７、第８の音声出力部である第３給紙カセット６１Ｃと第８伝搬経路３４ｈとの間に設けられた第８振動伝達遮断機構７８、第９の音声出力部である第４給紙カセット６１Ｄと第９伝搬経路３４ｉとの間に設けられた第９振動伝達遮断機構７９のそれぞれも、図７に示した第６振動伝達遮断機構７６と同様の構成になっている。
【００７８】
従って、第７〜第９の振動伝達遮断機構７７〜７９のそれぞれも、第２〜第４の給紙カセット６１Ｂ〜６１Ｄが給紙部６０から引き出されると、それぞれの内部に設けられた規制板６１ａと、第６伝搬経路３４ｆ、第７伝搬経路３４ｇ、第８伝搬経路３４ｈのそれぞれの屈曲状態になった先端部とが接触状態になって振動伝達状態になり、それぞれの規制板６１ａの垂直部分６１ｍから所定の音声を出力できる状態になる。これにより、第６伝搬経路３４ｆ、第７伝搬経路３４ｇ、第８伝搬経路３４ｈのそれぞれの先端部に伝搬された機械的振動に対応した音声が、規制板６１ａの垂直部分６１ｍからそれぞれ空気伝播音として出力される。
【００７９】
図８は、本実施形態のＭＦＰ装置の制御系の構成を示すブロック図である。ＭＦＰ装置の制御系には、制御部（ＣＰＵ）４１と、ＲＯＭ４２と、ＲＡＭ４３と、ネットワーク（例えばＬＡＮ）４４を介して外部端末等との間で通信を行う通信部４５とを有している。
制御部４１は、通信部４５によってネットワーク４４を介して各種データが送信および受信されるように通信部４５を制御する。通信部４５によって受信された各種データは、データ記憶部４６に記憶される。
【００８０】
制御部４１は、画像読取部Ｂを制御して、原稿ガラス１３上に載置された原稿の画像、あるいは、ＡＤＦユニットＣによって画像読取部Ｂに搬送される原稿の画像を、画像読取部Ｂによって読み取らせる。画像読取部Ｂによって読み取られた原稿画像のデータは、画像処理部４７によって画像処理されて、画像形成部２０またはデータ記憶部４６に送信される。
【００８１】
また、制御部４１は、画像形成部２０を制御して、画像形成部２０により、画像処理部４７によって画像処理された画像データ、あるいは、データ記憶部４６に記憶された画像データに基づいて、記録シートＳ上にトナー画像を形成する。
制御部４１には、画像読取部Ｂに設けられた操作パネル１４からの信号が与えられており、従って、操作パネル１４に設けられた両面コピーモードスイッチ１４ｂの出力も与えられている。また、制御部４１は、操作パネル１４に設けられた表示部１４ａを制御して、表示部１４ａに所定の表示を行わせる。
【００８２】
さらに、制御部４１は、装置本体Ａ内に設けられた音声振動発生器３２を音声信号によって制御して、音声振動発生器３２から、所定の音声に対応した機械的振動を出力させるようになっている。
また、制御部４１は、第２振動伝達遮断機構７２に設けられたソレノイド７２ｂを制御して、排紙トレイ２０ａと、第２伝搬経路３４ｂの先端部とを振動伝達状態および振動遮断状態に切り替える。
【００８３】
制御部４１には、装置本体Ａに設けられた前述の各センサーの出力が与えられている。制御部４１に出力が与えられるセンサーは、具体的には、原稿センサー８０、ＡＤＦ開閉センサー８１、排紙ＪＡＭセンサー８２、前扉開閉センサー８３、搬送ＪＡＭセンサー８４、各ユニット着脱センサー８５ａ〜８５ｄ、右扉開閉センサー８６、給紙ＪＡＭセンサー８７、手差し開閉センサー８８、手差しＪＡＭセンサー８９、手差しシートセンサー９１、第１〜第４の給紙カセット装着センサー９２ａ〜９２ｄ、第１〜第４の繰り出しＪＡＭセンサー９３ａ〜９３ｄ、第１〜第４の給紙センサー９４ａ〜９４ｄ、排紙高さセンサー９５、トナー濃度センサー９８ａ〜９８ｄ、トナーカートリッジセンサー９９ａ〜９９ｄである。制御部４１は、これらのセンサーの出力に基づいて、音声振動発生器３２から所定の内容の音声に対応した振動が出力されるように、音声振動発生器３２を制御する音声出力制御を実行する。
【００８４】
図９は、制御部４１によって実行される音声出力制御の処理手順を示すフローチャートである。制御部４１は、例えば、プリントジョブの実行が指示された場合、あるいは、ＡＤＦユニットＣが上方に回動された場合に、音声出力制御を実行する。
音声出力制御が開始されると、制御部４１は、まず、ＡＤＦユニットＣが上方に回動された状態であるかを、ＡＤＦ開閉センサー８１の出力に基づいて確認する（図９のステップＳ１１参照）。ＡＤＦユニットＣが上方に回動されて、ＡＤＦ開閉センサー８１の出力がオン状態になっている場合には（ステップＳ１１において「ＹＥＳ」）、原稿ガラス１３上における所定位置に原稿が所定の状態で載置されているかを原稿センサー８０の出力に基づいて判定する（図のステップＳ１２参照）。
【００８５】
なお、ＡＤＦユニットＣが上方に回動されることによって音声出力制御が開始される場合には、ＡＤＦ開閉センサー８１の出力はオン状態になっているために（ステップＳ１１において「ＹＥＳ」）、ステップＳ１２に進むことになる。
ステップＳ１２において、原稿ガラス１３上における所定位置に原稿が載置された状態になっていないことにより、原稿センサー８０がオン状態でない場合には（ステップＳ１２において「ＮＯ」）、制御部４１は、原稿ガラス１３に対して原稿が所定の状態に載置されていないことを内容とする音声１に対応した機械的振動１が出力されるように、音声振動発生器３２を制御する（ステップＳ１３）。これにより、音声振動発生器３２によって振動板３３が機械的に振動し、その機械的振動が、第１〜第９の伝搬経路３４ａ〜３４ｉに伝達される。
【００８６】
この場合、ＡＤＦユニットＣが上方に回動された状態であるために、図４（ｂ）に示すように、第１振動伝達遮断機構７１の振動伝達板７１ａが第１伝搬経路３４ａの先端部および原稿ガラス１３の両方に接触しており、第１伝搬経路３４ａの先端部に伝搬した機械的振動が、振動伝達板７１ａを介して原稿ガラス１３に伝達される。これにより、原稿ガラス１３は、原稿ガラス１３に対して原稿が所定の状態に載置されていないことを内容とする音声１に対応した振動状態になる。
【００８７】
この場合、原稿ガラス１３の全体が振動状態になるために、原稿ガラス１３の全体からは、第１伝搬経路３４ａから出力される音量よりも大きな音量で、所定の音声１が出力される。従って、原稿ガラス１３上に原稿を載置したユーザーは、原稿ガラス１３の全体から出力される音声１によって、原稿ガラス１３上において原稿が所定状態に載置されていないことを容易に知ることができる。
【００８８】
この場合には、第２〜第９の伝搬経路３４ｂ〜３４ｉの先端部は、対応する第２〜第９の音声出力部のそれぞれとは、第２〜第９の振動伝達遮断機構７２〜７９によって振動遮断状態になっているために、第２〜第９の伝搬経路３４ｂ〜３４ｉのそれぞれを伝搬した機械的振動が第２〜第９の音声出力部に伝達されず、第２〜第９の音声出力部から音声が出力されるおそれがない。
【００８９】
その後、制御部４１は、予め設定された所定時間が経過するのを待って（ステップＳ１４）、ステップＳ１２に戻り、原稿ガラス１３上に載置された原稿が所定状態になっているかを、原稿センサー８０の出力に基づいて確認する。原稿ガラス１３上に載置された原稿が所定状態になっていることによって原稿センサー８０の出力がオン状態になっている場合には（ステップＳ１２において「ＹＥＳ」）、ステップＳ１５に進む。
【００９０】
なお、ステップＳ１２において、原稿ガラス１３上に載置された原稿が所定状態になっていない場合には、ステップＳ１３に進んで、所定時間が経過した後に、再度、音声振動発生器３２から所定の機械的振動１が出力され、原稿ガラス１３から音声１が出力される。この場合、原稿ガラス１３から音声１が１度出力されてから所定時間が経過しているために、原稿ガラス１３から短時間の間隔で音声１が出力されることがない。
【００９１】
原稿ガラス１３上の原稿が所定状態であることが確認された後のステップＳ１５では、操作パネル１４に設けられた両面コピーモードスイッチ１４ｂからの出力に基づいて、原稿ガラス１３上に載置された原稿の両面をコピーする両面コピーモードであるかを確認する。
両面コピーモードスイッチ１４ｂがオン状態の場合には（ステップＳ１５において「ＹＥＳ」）、制御部４１は、両面コピー音声ガイダンス制御のサブルーチンを実行する（ステップＳ１６）。両面コピー音声ガイダンスは、原稿ガラス１３上に載置された原稿の両面の画像を、画像読取部Ｂにおいて読み取らせるために必要とされるユーザーの原稿操作を音声で案内する。
【００９２】
両面コピーガイダンス制御のサブルーチンが終了すると、図１１のステップＳ１７に進む。
なお、図９のステップＳ１５において、両面コピーモードスイッチ１４ｂがオフ状態の場合には（ステップＳ１５において「ＮＯ」）、ステップＳ１６における両面コピー音声ガイダンスのサブルーチン制御を実行することなく、図１１のステップＳ１７に進む。
【００９３】
図１０は、両面コピー音声ガイダンス制御のサブルーチンの処理手順を示すフローチャートである。両面コピー音声ガイダンス制御は、例えば、原稿ガラス１３上において原稿が所定の状態で載置されていることが確認された後に（ステップＳ１２において「ＮＯ」）、ＡＤＦユニットＣが閉状態になると（ステップＳ７１）、制御部４１は、原稿ガラス１３上の原稿の画像を画像読取部Ｂによって読み取らせる制御を実行する（ステップＳ７２）。
【００９４】
その後、ＡＤＦユニットＣが開状態になったことをＡＤＦ開閉センサー８１の出力によって確認し（ステップＳ７３）、ＡＤＦユニットＣが開状態の場合には（ステップＳ７３において「ＹＥＳ」）、原稿ガラス１３上の原稿を反転することを指示する内容の案内音声に対応した機械的振動が出力されるように、音声振動発生器３２を制御する（ステップＳ７４）。
【００９５】
これにより、ＡＤＦユニットＣが開状態になっていることによって上面が開放された原稿ガラス１３の全体からは、原稿ガラス１３上の原稿を反転することの案内音声が出力される。
その後、原稿ガラス１３上における所定位置に原稿が載置された状態になったかを原稿センサー８０の出力に基づいて判定する（ステップＳ７５）。原稿ガラス１３上における所定状態に原稿が載置されることによって原稿センサー８０がオン状態になると（ステップＳ７５において「ＹＥＳ」）、コピー動作の開始操作を指示する内容の音声に対応した機械的振動が出力されるように、音声振動発生器３２を制御する（ステップＳ７６）。これにより、ＡＤＦユニットＣが開状態になっていることによって上面が開放された原稿ガラス１３の全体から、コピー動作の開始操作を指示する内容の音声が出力される。
【００９６】
次いで、ＡＤＦユニットＣが閉状態になったことをＡＤＦ開閉センサー８１によって確認する（ステップＳ７７）。ＡＤＦユニットＣが閉状態になった場合には（ステップＳ７７において「ＹＥＳ」）、原稿ガラス１３上の原稿の画像を画像読取部Ｂによって読み取らせる制御を実行する（ステップＳ７８）。画像読取部Ｂによる原稿ガラス１３上の原稿の画像の読み取りが終了すると（ステップＳ７８において「ＹＥＳ」）、ＡＤＦユニットＣが開状態になったことをＡＤＦ開閉センサー８１によって確認する（ステップＳ７９）。
【００９７】
ＡＤＦユニットＣが開状態になってＡＤＦ開閉センサー８１がオン状態になると（ステップＳ７９において「ＹＥＳ」）、原稿ガラス１３上における所定位置に原稿が載置されているかを原稿センサー８０の出力に基づいて確認する（ステップＳ８０）。原稿ガラス１３上に原稿が残っている場合には（ステップＳ８０において「ＹＥＳ」）、原稿ガラス１３上に原稿が残っていることを示す内容の音声に対応した機械的振動が出力されるように、音声振動発生器３２を制御する（ステップＳ８１）。これにより、ＡＤＦユニットＣが開状態になっていることによって上面が開放された原稿ガラス１３の全体から、原稿ガラス１３上に原稿が残っていることを内容とする音声が出力される。
【００９８】
その後、原稿ガラス１３上に載置された原稿が取り除かれるまで（ステップＳ８０において「ＹＥＳ」）、所定時間が経過する毎に（ステップＳ８２）、原稿ガラス１３上に原稿が残っていることを内容とする音声が出力される。
その間に、原稿ガラス１３上に載置された原稿が取り除かれると（ステップＳ８０において「ＮＯ」）、ＡＤＦユニットＣが閉状態になったことをＡＤＦ開閉センサー８１によって確認して（ステップＳ８３において「ＹＥＳ」）、両面コピーガイダンス制御のサブルーチンを終了する。
【００９９】
図１１は、図９のステップＳ１５またはステップＳ１６（図１０の両面コピーガイダンス制御のサブルーチン）に連続する処理手順を示すフローチャートである。ステップＳ１７では、排紙トレイ２０ａへ排出される排紙経路６８においてトナー画像が定着された記録シートＳが紙詰まり状態になっているかを、排紙ＪＡＭセンサー８２の出力によって確認する。排紙経路６８において記録シートＳが紙詰まり状態であることによって排紙ＪＡＭセンサー８２がオン状態になっている場合には（ステップＳ１７において「ＹＥＳ」）、制御部４１は、第２振動伝達遮断機構７２のソレノイド７２ｂをオン状態にするとともに、ソレノイド７２ｂがオン状態であることを示すフラグＦＳをセット状態（ＦＳ＝１）にする（ステップＳ１８）。
【０１００】
第２振動伝達遮断機構７２のソレノイド７２ｂがオン状態になると、振動伝達板７２ａが排紙トレイ２０ａと第２伝搬経路３４ｂの先端部との両方に接触した状態になり、第２伝搬経路３４ｂの先端部に伝搬される機械的振動が排紙トレイ２０ａに伝達される状態になる。
このような状態になると、制御部４１は、排紙経路６８において記録シートＳが紙詰まり状態になっていることを内容とする音声３に対応した機械的振動３が出力されるように、音声振動発生器３２を制御する（ステップＳ１９）。
【０１０１】
音声振動発生器３２から機械的振動３が出力されると、その機械的振動３は、第２伝搬経路３４ｂの先端部に伝搬され、第２振動伝達遮断機構７２の振動伝達板７２ａを介して排紙トレイ２０ａに伝達される。これにより、排紙トレイ２０ａの全体からは、排紙トレイ２０ａの近傍である排紙経路６８において記録シートＳが紙詰まり状態であることを内容とする音声３が出力される。
【０１０２】
この場合、排紙トレイ２０ａの全体からは音声３が出力されるために、ユーザーは、排紙経路６８において記録シートＳが紙詰まり状態であることを知ることができ、通常、ユーザーは、排紙経路６８において紙詰まり状態の記録シートＳを取り除く作業を実行することになる。
この場合も、第１、第３〜第９の伝搬経路３４ａ、３４ｃ〜３４ｉの先端部は、第１、第３〜第９の振動伝達遮断機構７１、７３〜７９によって、対応する第１、第３〜第９の音声出力部とはそれぞれ振動遮断状態になっているために、機械的振動３が伝搬された第１、第３〜第９の伝搬経路３４ａ、３４ｃ〜３４ｉのそれぞれの機械的振動が、第１、第３〜第９の音声出力部に伝達されず、第１、第３〜第９の音声出力部から音声が出力されるおそれがない。
【０１０３】
その後、制御部４１は、予め設定された所定時間が経過するのを待って（ステップＳ２０）、ステップＳ１７に戻り、排紙経路６８から記録シートＳが取り除かれたことを排紙ＪＡＭセンサー８２の出力に基づいて確認する。排紙経路６８から記録シートＳが取り除かれず、排紙ＪＡＭセンサー８２の出力がオン状態の場合には（ステップＳ１７において「ＹＥＳ」）、ステップＳ１８〜Ｓ２０の処理が繰り返される。
【０１０４】
ステップＳ１７において、排紙経路６８から記録シートＳが取り除かれることにより、排紙ＪＡＭセンサー８２の出力がオフ状態になった場合には（ステップＳ１７において「ＮＯ」）、ステップＳ２１に進み、排紙トレイ２０ａ上に排出された記録シートＳが、予め設定された所定枚数に達することによって所定の高さに達しているかを、排紙高さセンサー９５によって確認する。排紙トレイ２０ａ上に排出された記録シートＳが所定の高さであることによって排紙高さセンサー９５がオン状態になっている場合には（ステップＳ２１において「ＹＥＳ」）、第２振動伝達遮断機構７２のソレノイド７２ｂがオン状態であることを示すフラグＦＳがセット状態（ＦＳ＝１）であるかを確認する（ステップＳ２２）。フラグＦＳがセット状態になっていない場合には（ステップＳ２２において「ＮＯ」）、ソレノイド７２ｂをオン状態にするとともに、ソレノイド７２ｂがオン状態であることを示すフラグＦＳをセット状態（ＦＳ＝１）として（ステップＳ２３）、ステップＳ２４に進む。
【０１０５】
フラグＦＳがセット状態になっていない場合には（ステップＳ２２において「ＹＥＳ」）、ステップＳ２３の処理を実行することなく、ステップＳ２４に進む。
次いで、制御部４１は、排紙トレイ２０ａ上に排出された記録シートＳが所定の枚数に達していることを内容とする所定の音声４に対応した機械的振動４が出力されるように、音声振動発生器３２を制御する（ステップＳ２４）。
【０１０６】
この場合、第２振動伝達遮断機構７２のソレノイド７２ｂがオン状態であって、排紙トレイ２０ａと第２伝搬経路３４ｂとが振動伝達板７２ａによって振動伝達状態になっているために、音声振動発生器３２から出力された機械的振動４は、第２伝搬経路３４ｂおよび振動伝達板７２ａを介して、排紙トレイ２０ａに伝達される。これにより、排紙トレイ２０ａからは、排紙トレイ２０ａ上に排出された記録シートＳが所定の枚数に達したことを内容とする所定の音声４が出力される。
【０１０７】
なお、この場合、排紙トレイ２０ａ上に所定の枚数の記録シートＳが積載された状態になっているが、排紙トレイ２０ａの面積が、積載される記録シートＳの面積よりも大きくなっていることにより、積載された記録シートＳによる排紙トレイ２０ａでの機械的振動の減衰が抑制され、排紙トレイ２０ａからは、適当な音量になった音声４が出力される。
排紙トレイ２０ａから所定の音声３が出力されると、ユーザーは、記録シートＳが所定の高さにまで排紙された状態であり、排紙トレイ２０ａ上から記録シートＳを取り除く必要があることを知り、通常、ユーザーは、排紙トレイ２０ａ上の記録シートＳを取り除くことになる。
【０１０８】
その後、制御部４１は、予め設定された所定時間が経過するのを待って（ステップＳ２５）、ステップＳ２１に戻り、排紙トレイ２０ａから記録シートＳが取り除かれたかを排紙高さセンサー９５の出力によって確認する。排紙トレイ２０ａ上の記録シートＳが取り除かれず、排紙高さセンサー９５による出力がオン状態の場合には（ステップＳ２１において「ＹＥＳ」）、ステップＳ２２〜Ｓ２５の処理が繰り返される。
【０１０９】
排紙トレイ２０ａから記録シートＳが取り除かれることによって、排紙高さセンサー９５の出力がオフ状態になると（ステップＳ２１において「ＮＯ」）、ステップＳ２６に進み、第２振動伝達遮断機構７２のソレノイド７２ｂがオン状態であることを示すフラグＦＳがセット状態（ＦＳ＝１）になっているかを確認する。フラグＦＳがセット状態（ＦＳ＝１）の場合には（ステップＳ２６において「ＹＥＳ」）、ソレノイド７２ｂをオフ状態にするとともに、フラグＦＳをリセット状態とし（ステップＳ２７）、ステップＳ２８に進む。
【０１１０】
ステップＳ２６において、フラグＦＳがセット状態（ＦＳ＝１）でない場合には（ステップＳ２６において「ＮＯ」）、ステップＳ２７の処理を実行することなく、図１２のステップＳ２８に進む。
図１２は、図１１のフローチャートに連続する処理手順を示すフローチャートである。ステップＳ２８では、前扉２０ｂが開状態になっているかを、前扉開閉センサー８３の出力に基づいて確認する。前扉２０ｂが開状態になっていないことにより、前扉開閉センサー８３がオフ状態の場合には（ステップＳ２８において「ＮＯ」）、図１３のステップＳ３６に進む。
【０１１１】
前扉２０ｂが開状態になっていることにより、前扉開閉センサー８３がオン状態の場合には（ステップＳ２８において「ＹＥＳ」）、レジストローラー６７から転写ニップ部Ｎｔまでの搬送経路６６において記録シートＳが紙詰まり状態であるかを搬送ＪＡＭセンサー８４の出力に基づいて確認する（ステップＳ２９）。
なお、搬送経路６６に記録シートＳが紙詰まり状態でなく、搬送ＪＡＭセンサー８４の出力がオンでない場合には（ステップＳ２９において「ＮＯ」）、ステップＳ３２に進む。
【０１１２】
搬送経路６６において記録シートＳが紙詰まり状態であることにより搬送ＪＡＭセンサー８４の出力がオン状態の場合には（ステップＳ２９において「ＹＥＳ」）、制御部４１は、搬送経路６６において記録シートＳが紙詰まり状態になっていることを内容とする所定の音声５に対応した機械的振動５が出力されるように、音声振動発生器３２を制御する（ステップＳ３０）。
【０１１３】
この場合、図６に示すように、前扉２０ｂの上側縁が前側下方に回動されることによって前扉２０ｂが開状態になっており、従って、第３振動伝達遮断機構７３を構成する前扉２０ｂの下部が、第３伝搬経路３４ｃの先端部に接触した状態になっている。このような状態で、音声振動発生器３２から機械的振動５が出力されると、その機械的振動５は、振動板３３に伝達されて、振動板３３の第３伝搬経路３４ｃおよび第３振動伝達遮断機構７３を介して前扉２０ｂに伝達される。
【０１１４】
これにより、開状態の前扉２０ｂの全体から、前扉２０ｂの近傍である搬送経路６６において記録シートＳが紙詰まり状態であることを内容とする所定の音声５が出力される。この場合も、他の音声出力部から音声が出力されるおそれがない。
前扉２０ｂの全体から所定の音声５が出力されると、ユーザーは、開状態になった前扉２０ｂによって外部に露出した状態になった搬送経路６６において記録シートＳが紙詰まりになっていることを知ることができ、通常、ユーザーは、搬送経路６６内において紙詰まり状態の記録シートＳを取り除くことになる。
【０１１５】
この場合、前扉２０ｂが開状態であることから搬送経路６６が開放状態になっているために、搬送経路６６において紙詰まり状態の記録シートＳを容易に取り除くことができる。
その後、制御部４１は、予め設定された所定時間が経過するのを待って（ステップＳ３１）、ステップＳ２９に戻り、搬送経路６６から記録シートＳが取り除かれたかを、搬送ＪＡＭセンサー８４の出力に基づいて確認する。搬送経路６６から記録シートＳが取り除かれず、搬送ＪＡＭセンサー８４の出力がオン状態の場合には（ステップＳ２９において「ＹＥＳ」）、ステップＳ３０〜Ｓ３１の処理が繰り返される。
【０１１６】
ステップＳ２９において、搬送経路６６から記録シートＳが取り除かれることにより、搬送ＪＡＭセンサー８４の出力がオフ状態になった場合には（ステップＳ２９において「ＮＯ」）、ステップＳ３２に進み、制御部４１は、プロセスユニット２２Ｙ、２２Ｍ、２２Ｃ、２２Ｋのいずれかの交換、または、トナーカートリッジ２９Ｙ、２９Ｍ、２９Ｃ、２９Ｋのいずれかの交換が必要であるかを、例えば、累積カラープリント枚数および累積黒色プリント枚数に基づいて、または、各現像器２５Ｙ、２５Ｍ、２５Ｃ、２５Ｋに設けられたトナー濃度センサー９８ａ、９８ｂ、９８ｃ、９８ｄの出力に基づいて判断する。
【０１１７】
なお、累積カラープリント枚数および累積黒色プリント枚数は、制御部４１に設けられたカウンターによってカウントされており、カウンターによるカウント結果に基づいて、プロセスユニット２２Ｙ、２２Ｍ、２２Ｃ、２２Ｋの交換時期を検出することができる。
この場合、累積カラープリント枚数が予め設定された所定枚数に達した状態になっている場合には、プロセスユニット２２Ｙ、２２Ｍ、２２Ｃの交換が必要であると判断し、また、累積カラープリント枚数および累積黒色プリント枚数の合計が、予め設定された所定枚数に達した状態になっている場合には、プロセスユニット２２Ｋの交換が必要であると判断する。
【０１１８】
また、トナーカートリッジ２９Ｙ、２９Ｍ、２９Ｃ、２９Ｋからのトナー補給によってトナー濃度センサー９８ａ、９８ｂ、９８ｃ、９８ｄによるトナー濃度が変化しないことによって、トナーカートリッジ２９Ｙ、２９Ｍ、２９Ｃ、２９Ｋのそれぞれの交換時期を検出することができる。
制御部４１は、Ｙ、Ｍ、Ｃ、Ｋのプロセスユニット２２Ｙ、２２Ｍ、２２Ｃ、２２Ｋのいずれかの交換が必要であると判断した場合、または、Ｙ、Ｍ、Ｃ、Ｋのトナーカートリッジ２９Ｙ、２９Ｍ、２９Ｃ、２９Ｋのいずれかの交換が必要であると判断した場合には（ステップＳ３２において「ＹＥＳ」）、プロセスユニット２２Ｙ、２２Ｍ、２２Ｃ、２２Ｋの交換、または、トナーカートリッジ２９Ｙ、２９Ｍ、２９Ｃ、２９Ｋの交換が必要であることを内容とする所定の音声６に対応した機械的振動６が出力されるように、音声振動発生器３２を制御する（ステップＳ３３）。
【０１１９】
音声振動発生器３２から出力された機械的振動６は、振動板３３から第３伝搬経路３４ｃを介して前扉２０ｂに伝達される。これにより、前扉２０ｂの全体から、プロセスユニット２２Ｙ、２２Ｍ、２２Ｃ、２２Ｋのいずれか、または、トナーカートリッジ２９Ｙ、２９Ｍ、２９Ｃ、２９Ｋのいずれかの交換が必要であることを内容とする所定の音声６が出力される。
【０１２０】
前扉２０ｂの全体から音声６が出力されると、ユーザーは、プロセスユニット２２Ｙ、２２Ｍ、２２Ｃ、２２Ｋ、または、トナーカートリッジ２９Ｙ、２９Ｍ、２９Ｃ、２９Ｋの交換が必要であることを知り、通常、対応するプロセスユニット２２Ｙ、２２Ｍ、２２Ｃ、２２Ｋ、または、トナーカートリッジ２９Ｙ、２９Ｍ、２９Ｃ、２９Ｋを交換することになる。この場合には、前扉２０ｂが開状態になっていることにより、ユーザーは、交換が必要とされるプロセスユニットまたはトナーカートリッジを容易に交換することができる。
【０１２１】
その後、制御部４１は、予め設定された所定時間が経過するのを待って（ステップＳ３４）、交換が必要とされたプロセカユニットの着脱を、ユニット着脱センサー８５ａ〜８５ｄにおける対応センサーに基づいて、または、交換が必要とされたトナーカートリッジの着脱を、トナーカートリッジセンサー９８ａ〜９８ｄにおける対応センサーに基づいて確認する（ステップＳ３５）。この場合、交換が必要とされるプロセスユニットまたはトナーカートリッジに対応したセンサーが、装着状態（オン状態）から取り外された状態（オフ状態）になった後に、再度、装着状態（オン状態）になったことを検出すると、交換が終了したものと判断する（ステップＳ３５において「ＹＥＳ」）。
【０１２２】
なお、複数のプロセスユニットまたは複数のトナーカートリッジを交換する必要な場合には、交換が必要な全てのプロセスユニットまたはトナーカートリッジの交換が終了するまで、ステップＳ３３〜Ｓ３５の処理が繰り返される。
その後、プロセカユニットまたはトナーカートリッジの交換が終了すると（ステップＳ３５において「ＹＥＳ」）、図１３のステップＳ３６に進む。
【０１２３】
図１３は、図１２のフローチャートに連続する処理手順を示すフローチャートである。ステップＳ３６では、右扉６４が開状態になっているかを、右扉開閉センサー８６の出力に基づいて確認する。
右扉６４が開状態でないことにより、右扉開閉センサー８６がオン状態でない場合には（ステップＳ３６において「ＮＯ」）、図１４のステップＳ４０に進む。
【０１２４】
右扉６４が開状態になっていることにより、右扉開閉センサー８６がオン状態の場合には（ステップＳ３６において「ＹＥＳ」）、給紙部６０における給紙経路６３において記録シートＳが紙詰まり状態であるかを給紙ＪＡＭセンサー８７の出力に基づいて確認する（ステップＳ３７）。
給紙経路６３において記録シートＳが紙詰まり状態になっていない場合には（ステップＳ３７において「ＮＯ」）、図１４のステップＳ４０に進む。
【０１２５】
給紙経路６３に記録シートＳが紙詰まり状態であることによって給紙ＪＡＭセンサー８７がオン状態になっている場合には（ステップＳ３７において「ＹＥＳ」）、制御部４１は、給紙経路６３において記録シートＳが紙詰まり状態になっていることを内容とする所定の音声７に対応した機械的振動７が出力されるように、音声振動発生器３２を制御する（ステップＳ３８）。
【０１２６】
音声振動発生器３２から所定の機械的振動７が出力されると、その機械的振動７は、振動板３３に伝達されて、第４伝搬経路３４ｄを介して右扉６４に伝達される。これにより、開状態の右扉６４の全体からは、右扉６４の近傍である給紙経路６３において記録シートＳが紙詰まり状態であることを内容とする音声７が出力される。この場合も、他の音声出力部からは音声が出力されるおそれがない。
【０１２７】
右扉６４の全体から音声７が出力されると、ユーザーは、右扉６４の近傍の給紙経路６３において記録シートＳが紙詰まり状態であることを知ることができ、通常、ユーザーは、給紙経路６３内において紙詰まり状態の記録シートＳを取り除くことになる。この場合、右扉６４が開状態であることから、装置本体Ａが開放された状態になっており、従って、給紙経路６３において紙詰まり状態の記録シートＳを容易に取り除くことができる。
【０１２８】
その後、制御部４１は、予め設定された所定時間が経過するのを待って（ステップＳ３９）、ステップＳ３７に戻り、給紙経路６３から記録シートＳが取り除かれたかを給紙ＪＡＭセンサー８７の出力に基づいて確認する。給紙経路６３から記録シートＳが取り除かれず、給紙ＪＡＭセンサー８４の出力がオン状態の場合には（ステップＳ３７において「ＹＥＳ」）、ステップＳ３８〜Ｓ３９の処理が繰り返される。
【０１２９】
ステップＳ３７において、給紙経路６３から記録シートＳが取り除かれることによって、給紙ＪＡＭセンサー８４の出力がオフ状態になった場合には（ステップＳ３７において「ＮＯ」）、図１４のステップＳ４０に進む。
図１４は、図１３のフローチャートに連続する処理手順を示すフローチャートである。ステップＳ４０では、手差し給紙台６５が水平な給紙状態になっているかを、手差し開閉センサー８８の出力に基づいて確認する。
【０１３０】
手差し給紙台６５が給紙状態でないことにより、手差し開閉センサー８８がオン状態になっていない場合には（ステップＳ４０において「ＮＯ」）、図１５のステップＳ４７に進む。
手差し給紙台６５が給紙状態になっていることにより、手差し開閉センサー８８がオン状態になっている場合には（ステップＳ４０において「ＹＥＳ」）、手差し給紙台６５からレジストローラー６７までの手差し経路６９において、記録シートＳが紙詰まり状態であるかを手差しＪＡＭセンサー８９の出力に基づいて確認する（ステップＳ４１）。
【０１３１】
手差し経路６９において記録シートＳが紙詰まり状態でなく、手差しＪＡＭセンサー８９の出力がオン状態でない場合には（ステップＳ４１において「ＮＯ」）、図１５のステップＳ４７に進む。
手差しＪＡＭセンサー８９の出力がオン状態であることによって、手差し経路６９において記録シートＳが紙詰まり状態であることが確認された場合には（ステップＳ４１において「ＹＥＳ」）、制御部４１は、手差し経路６９において記録シートＳが紙詰まり状態であることを内容とする所定の音声８に対応した機械的振動８が出力されるように、音声振動発生器３２を制御する（ステップＳ４２）。
【０１３２】
音声振動発生器３２から所定の機械的振動８が出力されると、その機械的振動８は、振動板３３に伝達されて、振動板３３の第５伝搬経路３４ｄを介して手差し給紙台６５に伝達される。これにより、開状態の手差し給紙台６５の全体からは、手差し給紙台６５の近傍である手差し経路６９において記録シートＳが紙詰まり状態であることを内容とする所定の音声８が出力される。この場合も、他の音声出力部からは音声が出力されるおそれがない。
【０１３３】
手差し給紙台６５の全体から所定の音声８が出力されると、ユーザーは、手差し給紙台６５の近傍の手差し経路６９において記録シートＳが紙詰まり状態であることを知ることができ、通常、ユーザーは、手差し経路６９内において紙詰まり状態の記録シートＳを取り除くことになる。この場合、手差し給紙台６５が開状態であることから、手差し経路６９において紙詰まり状態の記録シートＳを容易に取り除くことができる。
【０１３４】
その後、制御部４１は、予め設定された所定時間が経過するのを待って（ステップＳ４３）、ステップＳ４１に戻り、手差し経路６９から記録シートＳが取り除かれたかを手差しＪＡＭセンサー８９の出力に基づいて確認する。手差し経路６９から記録シートＳが取り除かれず、手差しＪＡＭセンサー８９の出力が変化しない場合には（ステップＳ４１において「ＹＥＳ」）、ステップＳ４２〜Ｓ４３の処理が繰り返される。
【０１３５】
ステップＳ４１において、手差し経路６９から紙詰まり状態の記録シートＳが取り除かれることによって手差しＪＡＭセンサー８９の出力がオフ状態になった場合には（ステップＳ４１において「ＮＯ」）、ステップＳ４４に進み、手差し給紙台６５上に記録シートＳが載置された状態であるかを、手差しシートセンサー９１の出力に基づいて判断する。
手差しシートセンサー９１の出力がオン状態であって、手差し給紙台６５上に記録シートＳが載置された状態の場合には（ステップＳ４４において「ＹＥＳ」）、図１５のステップＳ４７に進む。
【０１３６】
手差しシートセンサー９１の出力によって、手差し給紙台６５上に記録シートＳが載置されていない状態であることが確認された場合には（ステップＳ４４において「ＮＯ」）、制御部４１は、手差し給紙台６５上に記録シートＳが載置されていないことを内容とする音声９に対応した機械的振動９が出力されるように、音声振動発生器３２を制御する（ステップＳ４５）。
【０１３７】
音声振動発生器３２から所定の機械的振動９が出力されると、その機械的振動９は、振動板３３に伝達されて、第５伝搬経路３４ｄを介して手差し給紙台６５に伝達される。これにより、給紙状態の手差し給紙台６５の全体からは、手差し給紙台６５上に記録シートＳが載置されていないことを内容とする音声９が出力される。
手差し給紙台６５の全体から音声９が出力されると、ユーザーは、給紙状態になった手差し給紙台６５上に記録シートＳが載置されていないことを知ることができ、通常、ユーザーは、手差し給紙台６５上に記録シートＳを載置することになる。
【０１３８】
その後、制御部４１は、予め設定された所定時間が経過するのを待って（ステップＳ４６）、ステップＳ４４に戻り、手差し給紙台６５上に記録シートＳが載置されたかを手差しシートセンサー９１の出力に基づいて判断する。手差し給紙台６５上に記録シートＳが載置されず、手差しシートセンサー９１がオフ状態の場合には（ステップＳ４４において「ＮＯ」）、ステップＳ４５〜Ｓ４６の処理が繰り返される。
【０１３９】
ステップＳ４４において、手差し給紙台６５上に記録シートＳが載置されることにより、手差しシートセンサー９１の出力がオン状態になった場合には（ステップＳ４４において「ＹＥＳ」）、図１５のステップＳ４７に進む。
図１５は、制御部４１によるステップＳ４７に連続する処理手順を示すフローチャートである。ステップＳ４７では、第１給紙カセット６１Ａが装置本体Ａの給紙部６０から引き出された状態になっているかを、第１給紙カセット装着センサー９２ａの出力に基づいて確認する。第１給紙カセット６１Ａが装置本体Ａから引き出されることによって、第１給紙カセット装着センサー９２ａがオン状態になっている場合には（ステップＳ４７において「ＹＥＳ」）、第１給紙カセット６１Ａに対する所定の音声出力制御が実行される（ステップＳ４８）。
【０１４０】
なお、この場合、第１給紙カセット６１Ａが給紙部６０から引き出されていることにより、給紙部６０の正面側に位置する第６伝搬経路３４ｆの先端部が、第１給紙カセット６１Ａの内部に設けられた規制板６１ａの水平部分６１ｎと接触しており、従って、第６伝搬経路３４ｆと、第１給紙カセット６１Ａの規制板６１ａとが振動伝達状態になっている。
【０１４１】
このような状態で、第１繰り出しＪＡＭセンサー９３ａの出力および第１給紙センサー９４ａの出力に基づいて音声振動発生器３２を制御する第１給紙カセット音声出力制御が実行される。
第１給紙カセット音声出力制御の詳細については後述する。第１給紙カセット音声出力制御が終了すると、ステップＳ４７に戻る。
【０１４２】
ステップＳ４７において、第１給紙カセット６１Ａが給紙部６０から引き出されていないことによって第１給紙カセット装着センサー９２ａがオン状態になっていない場合には（ステップＳ４７において「ＮＯ」）、ステップＳ４９に進んで、第２給紙カセット６１Ｂが給紙部６０から引き出された状態になっているかを、第２給紙カセット装着センサー９２ｂの出力に基づいて確認する。第２給紙カセット６１Ｂが給紙部６０から引き出されることによって第２給紙カセット装着センサー９２ｂがオン状態になっている場合には（ステップＳ４９において「ＹＥＳ」）、第２給紙カセット６１Ｂに対する所定の音声出力制御が実行される（ステップＳ５０）。
【０１４３】
この場合も、第２給紙カセット６１Ｂが給紙部６０から引き出されることによって、第２給紙カセット６１Ｂの規制板６１ａと、第７伝搬経路３４ｇとが振動伝達状態になっており、このような状態で、第２繰り出しＪＡＭセンサー９３ｂの出力および第２給紙センサー９４ｂの出力に基づいて音声振動発生器３２を制御する第２給紙カセット音声出力制御が実行される。
【０１４４】
第２給紙カセット音声出力制御の詳細については後述する。第２給紙カセット６１音声出力制御が終了すると、ステップＳ４９に戻る。
ステップＳ４９において、第２給紙カセット６１Ｂが給紙部６０から引き出されていないことにより第２給紙カセット装着センサー９２ｂがオン状態になっていない場合には（ステップＳ４９において「ＮＯ」）、ステップＳ５１に進んで、第３給紙カセット６１Ｃが給紙部６０から引き出された状態になっているかを、第３給紙カセット装着センサー９２ｃの出力に基づいて確認する。第３給紙カセット６１Ｃが給紙部６０から引き出されることによって第３給紙カセット装着センサー９２ｃがオン状態になっている場合には（ステップＳ５１において「ＹＥＳ」）、第３給紙カセット６１Ｃに対する所定の音声出力制御が実行される（ステップＳ５２）。
【０１４５】
この場合も、第３給紙カセット６１Ｃが装置本体Ａから引き出されることにより、第３給紙カセット６１Ｃの規制板６１ａと、第８伝搬経路３４ｈとが振動伝達状態になっており、このような状態で、第３繰り出しＪＡＭセンサー９３ｃの出力および第３給紙センサー９４ｃの出力に基づいて音声振動発生器３２を制御する第３給紙カセット音声出力制御が実行される。
【０１４６】
第３給紙カセット音声出力制御の詳細については後述する。第３給紙カセット音声出力制御が終了すると、ステップＳ５１に戻る。
ステップＳ５１において、第３給紙カセット６１Ｃが給紙部６０から引き出されていないことによって第３給紙カセット装着センサー９２ｃがオン状態になっていない場合には（ステップＳ５１において「ＮＯ」）、ステップＳ５３に進んで、第４給紙カセット６１Ｄが給紙部６０から引き出された状態になっているかを、第４給紙カセット装着センサー９２ｄの出力に基づいて確認する。第４給紙カセット６１Ｄが給紙部６０から引き出されることによって第４給紙カセット装着センサー９２ｄがオン状態になっている場合には（ステップＳ５３において「ＹＥＳ」）、第４給紙カセット６１Ｄに対する所定の音声出力制御が実行される（ステップＳ５４）。
【０１４７】
この場合も、第４給紙カセット６１Ｄが給紙部６０から引き出されることにより、第４給紙カセット６１Ｄの規制板６１ａと、第９伝搬経路３４ｉとが振動伝達状態になっており、このような状態で、第４繰り出しＪＡＭセンサー９３ｄの出力および第４給紙センサー９４ｄの出力に基づいて音声振動発生器３２を制御する第４給紙カセット音声出力制御が実行される。
【０１４８】
第４給紙カセット音声出力制御の詳細については後述する。第４給紙カセット音声出力制御が終了すると、ステップＳ５３に戻る。
ステップＳ５３において、第４給紙カセット６１Ｄが給紙部６０から引き出されていないことによって第４給紙カセット装着センサー９２ｄがオン状態になっていない場合には（ステップＳ５３において「ＮＯ」）、プリントジョブが終了したかを確認する（ステップＳ５５）。プリントジョブが終了していない場合には（ステップＳ５５において「ＮＯ」）、ステップＳ１１に戻って、上述した一連の音声出力制御を実行する。プリントジョブが終了している場合には（ステップＳ５５において「ＹＥＳ」）、一連の音声出力制御を終了する。
【０１４９】
図１６は、ステップＳ４８、Ｓ５０、Ｓ５２、Ｓ５４のそれぞれにおいて実行される第１〜第４の給紙カセット音声出力制御のサブルーチンを示すフローチャートである。第１〜第４の給紙カセット音声出力制御は、それぞれ、同様の処理手順で実行されるために、図１６のフローチャートに基づいて、それぞれの給紙カセット音声出力制御について説明する。
【０１５０】
第１〜第４のそれぞれ給紙カセット音声出力制御が開始されると、第１〜第４の繰り出し経路６２Ａ〜６２Ｄのそれぞれにおいて記録シートＳが紙詰まり状態になっているかを、第１〜第４の繰り出しＪＡＭセンサー９３ａ〜９３ｄのそれぞれの出力に基づいて確認する（ステップＳ５６）。
記録シートＳが紙詰まり状態になっていないことによって、第１〜第４の繰り出しＪＡＭセンサー９３ａ〜９３ｄのそれぞれの出力がオン状態でない場合には（ステップＳ５６において「ＮＯ」）、ステップＳ５９に進む。
【０１５１】
記録シートＳが紙詰まり状態になっていることによって、第１〜第４の繰り出しＪＡＭセンサー９３ａ〜９３ｄのそれぞれの出力がオン状態になっている場合には（ステップＳ５６において「ＹＥＳ」）、制御部４１は、第１〜第４のそれぞれの繰り出し経路６２Ａ〜６２Ｄにおいて記録シートＳが紙詰まり状態になっていることを内容とする所定の音声１０に対応した機械的振動１０が出力されるように、音声振動発生器３２を制御する（ステップＳ５７）。
【０１５２】
なお、この場合、第１給紙カセット音声出力制御（ステップＳ４８）、第２給紙カセット音声出力制御（ステップＳ５０）、第３給紙カセット音声出力制御（ステップＳ５２）、第４給紙カセット音声出力制御（ステップＳ５４）のそれぞれでは、第１〜第４の給紙カセット６１Ａ〜６１Ｄのそれぞれから繰り出された記録シートＳが紙詰まり状態になっていることを内容とする音声１０に対応した機械的振動１０が生成される。
【０１５３】
第１給紙カセット音声出力制御（ステップＳ４８）において、音声振動発生器３２から、第１給紙カセット６１Ａから繰り出された記録シートＳが紙詰まり状態になっていることを内容とする機械的振動１０が出力されると、その機械的振動１０は、振動板３３に伝達されて、第６伝搬経路３４ｆを介して、第１給紙カセット６１Ａ内の規制板６１ａに伝達される。これにより、給紙部６０から引き出された第１給紙カセット６１Ａ内の規制板６１ａの全体が振動し、規制板６１ａの全体から第１繰り出し経路６２Ａにおいて記録シートＳが紙詰まり状態になっていることを内容とする所定の音声１０が出力される。
【０１５４】
なお、規制板６１ａにおける垂直部分６１ｍは、記録シートＳとの接触していない部分が存在するために、記録シートＳによる垂直部分６１ｍの機械的振動により、所定の音声が出力される。この場合も、他の音声出力部からは音声が出力されるおそれがない。
同様に、第２給紙カセット音声出力制御（ステップＳ５０）では、音声振動発生器３２からは、第２繰り出し経路６２Ｂにおいて記録シートＳが紙詰まり状態になっていることを内容とする機械的振動１０が出力され、出力された機械的振動１０が、第８伝搬経路３４ｇを介して、第２給紙カセット６１Ｂ内の規制板６１ａに伝達される。これにより、給紙部６０から引き出された第２給紙カセット６１Ｂ内の規制板６１ａにおける垂直部分６１ｍから、第２繰り出し経路６２Ｂにおいて記録シートＳが紙詰まり状態になっていることを内容とする所定の音声１０が出力される。
【０１５５】
第３および第４の給紙カセット音声出力制御（ステップＳ５２およびＳ５４）でも、音声振動発生器３２からそれぞれ出力された所定の機械的振動１０が、第８伝搬経路３４ｈおよび第９伝搬経路３４ｉをそれぞれ介して、第３給紙カセット６１Ｃおよび第４給紙カセットＤ内のそれぞれの規制板６１ａに伝達され、給紙部６０から引き出された第３給紙カセット６１Ｃおよび第４給紙カセットＤ内の規制板６１ａにおける垂直部分６１ｍから、第３および第４の繰り出し経路６２Ｃおよび６２Ｄにおいて記録シートＳが紙詰まり状態になっていることを内容とする所定の音声１０が出力される。
【０１５６】
第１〜第４の給紙カセット６１Ａ〜６１Ｄの規制板６１ａにおける垂直部分６１ｍから、それぞれ所定の音声１０が出力されると、ユーザーは、第１〜第４の給紙カセット６１Ａ〜６１Ｄの近傍の第１〜第４の繰り出し経路６２Ａ〜６２Ｄにおいて記録シートＳが紙詰まり状態であることを知ることができ、通常、ユーザーは、第１〜第４の繰り出し経路６２Ａ〜６２Ｄ内において紙詰まり状態の記録シートＳを取り除くことになる。この場合、第１〜第４の給紙カセット６１Ａ〜６１Ｄのそれぞれが給紙部６０から引き出された状態であることから、第１〜第４の繰り出し経路６２Ａ〜６２Ｄにおいて紙詰まり状態の記録シートＳをそれぞれ容易に取り除くことができる。
【０１５７】
図１６のステップ５７において、音声振動発生器３２から音声１０に対応した機械的振動１０が出力されると、その後、制御部４１は、予め設定された所定時間が経過するのを待って（ステップＳ５８）、ステップＳ５６に戻り、第１〜第４のそれぞれの繰り出し経路６２Ａ〜６２Ｄから記録シートＳが取り除かれたかを、第１〜第４の繰り出しＪＡＭセンサー９３ａ〜９３ｄのそれぞれの出力に基づいて確認する。第１〜第４のそれぞれの繰り出し経路６２Ａ〜６２Ｄから記録シートＳが取り除かれず、搬送ＪＡＭセンサー８４の出力がオン状態の場合には（ステップＳ５６において「ＹＥＳ」）、ステップＳ５７〜Ｓ５８の処理が繰り返される。
【０１５８】
ステップＳ５６において、第１〜第４のそれぞれの繰り出し経路６２Ａ〜６２Ｄから記録シートＳが取り除かれることにより、第１〜第４の繰り出しＪＡＭセンサー９３ａ〜９３ｄの出力がオン状態でなくなった場合には（ステップＳ５６において「ＮＯ」）、ステップＳ５９に進み、第１〜第４の給紙カセット６１Ａ〜６１Ｄの内部に、記録シートＳがあるかを、第１〜第４の給紙センサー９４ａ〜９４ｄのそれぞれの出力に基づいて確認する。
【０１５９】
第１〜第４の給紙カセット６１Ａ〜６１Ｄの内部に記録シートＳがあり、第１〜第４の給紙センサー９４ａ〜９４ｄのそれぞれの出力がオン状態になっていない場合には（ステップＳ５９において「ＮＯ」）、給紙カセット音声出力制御を終了する。
第１〜第４の給紙カセット６１Ａ〜６１Ｄの内部の載置板６１ｘ上に記録シートＳがなく、第１〜第４の給紙センサー９４ａ〜９４ｄのそれぞれの出力がオン状態になっている場合には（ステップＳ５９において「ＹＥＳ」）、制御部４１は、第１〜第４の給紙カセット６１Ａ〜６１Ｄの内部に記録シートＳがないことを内容とする音声１１に対応した機械的振動１１が出力されるように、音声振動発生器３２を制御する（ステップＳ６０）。
【０１６０】
なお、この場合、第１給紙カセット音声出力制御（ステップＳ４８）では、第１の給紙カセット６１Ａ内に記録シートＳがないことを内容とする音声１１に対応した機械的振動１１が生成され、第２給紙カセット音声出力制御（ステップＳ５０）では、第２の給紙カセット６１Ｂ内に記録シートＳがないことを内容とする音声１１に対応した機械的振動１１が生成され、第３給紙カセット音声出力制御（ステップＳ５２）では、第３の給紙カセット６１Ｃ内に記録シートＳがないことを内容とする音声１０に対応した機械的振動１１が生成され、第４給紙カセット音声出力制御（ステップＳ５４）では、第４給紙カセット６１Ｄ内に記録シートＳがないことを内容とする音声１１に対応した機械的振動１１が生成される。
【０１６１】
ステップＳ６０において、音声振動発生器３２から、第１給紙カセット６１Ａ〜第４給紙カセット６１Ｄ内に記録シートＳがないことを内容とする機械的振動１１が出力されると、その音声振動１１は、振動板３３に伝達されて、第６伝搬経路３４ｆを介して、第１給紙カセット６１Ａ〜第４給紙カセット６１Ｄ内の規制板６１ａに伝達される。これにより、給紙部６０から引き出された第１給紙カセット６１Ａ〜第４給紙カセット６１Ｄ内の規制板６１ａから、記録シートＳがないことを内容とする所定の音声１１が出力される。
【０１６２】
第１〜第４の給紙カセット６１Ａ〜６１Ｄの規制板６１ａから、それぞれ所定の音声１１が出力されると、ユーザーは、第１〜第４の給紙カセット６１Ａ〜６１Ｄ内に記録シートＳがないことを知ることができ、通常、ユーザーは、第１〜第４の給紙カセット６１Ａ〜６１Ｄ内に記録シートＳを補給することになる。この場合、第１〜第４の給紙カセット６１Ａ〜６１Ｄのそれぞれが給紙部６０から引き出された状態であることから、それぞれに対して記録シートＳを容易に補給することができる。
【０１６３】
図１６のステップ６０において、音声振動発生器３２から音声１１に対応した機械的振動１１が出力されると、その後、制御部４１は、予め設定された所定時間が経過するのを待って（ステップＳ６１）、ステップＳ５９に戻り、第１〜第４のそれぞれの給紙カセット６１Ａ〜６１Ｄ内に記録シートＳが補給されたかを、第１〜第４の給紙センサー９４ａ〜９４ｄのそれぞれの出力に基づいて確認する。第１〜第４のそれぞれの給紙カセット６１Ａ〜６１Ｄ内において記録シートＳが補給されず、第１〜第４のそれぞれの給紙センサー９４ａ〜９４ｄがオン状態の場合には（ステップＳ５９において「ＹＥＳ」）、ステップＳ６０〜Ｓ６１の処理が繰り返される。
【０１６４】
ステップＳ５９において、第１〜第４のそれぞれの給紙カセット６１Ａ〜６１Ｄ内において記録シートＳが補給されて、第１〜第４のそれぞれの給紙センサー９４ａ〜９４ｄがオフ状態になった場合には（ステップＳ５９において「ＮＯ」）、第１〜第４の給紙カセット音声出力制御のサブルーチンをそれぞれ終了し、図１５のステップＳ４７、ステップＳ４９、ステップＳ５１、ステップＳ５３のそれぞれに戻る。その後は、ステップＳ５５において、プリントジョブが終了したことを確認して、一連の音声出力制御が終了する。
【０１６５】
このように、本実施形態では、１つの音声振動発生器３２によって生じた機械的振動を、第１〜第９の伝搬経路３４ａ〜３４ｉによって、第１〜第９の音声出力部を構成する所定部分の近傍にまで伝搬するようになっている。第１〜第９の伝搬経路３４ａ〜３４ｉと、第１〜第９の音声出力部を構成する各部分との間には、第１〜第９の振動伝達遮断機構７１〜７９が設けられており、各振動伝達遮断機構７１〜７９が振動伝達状態になることにより、第１〜第９の伝搬経路３４ａ〜３４ｉを伝搬される音声信号が第１〜第９の音声出力部のそれぞれに伝達される。
【０１６６】
この場合、第１および第２の振動伝達遮断機構７１および７２以外の第３〜第９の振動伝達遮断機構７３〜７９は、第３〜第９の音声出力部（それぞれ、前扉２０ｂ、右扉６４、手差し給紙台６５、第１〜第４の給紙カセット６１Ａ〜６１Ｄ）が、ユーザーによって操作されることにより振動伝達状態になり、第３〜第９の音声出力部に機械的振動が伝達される。
【０１６７】
従って、ユーザーが第３〜第９の音声出力部を操作することにより、操作された第３〜第９の音声出力部から音声信号が選択的に出力されるために、第３〜第９の音声出力部の近傍に位置するユーザーは、それぞれから出力される音声を確実に聞き取ることができる。
この場合、ユーザーが第３〜第９の音声出力部を操作しなければ、第３〜第９の音声出力部から音声が出力されない。従って、第３〜第９の音声出力部の近傍にユーザーが位置している場合にのみ、第３〜第９の音声出力部から音声が出力されることになる。
【０１６８】
第３〜第９の音声出力部から出力される音声は、第３〜第９の音声出力部の近傍におけるトラブル（紙詰まり、消耗品の消耗）に関する内容であることから、第３〜第９の音声出力部の近傍において、それぞれから出力される音声を聞き取ったユーザーは、それぞれのトラブルに対して迅速に対処することができる。しかも、第３〜第９の音声出力部のそれぞれが、ユーザー操作によって、トラブルの解消処理を容易に実行することができる状態になっていることから、ユーザーは、それぞれのトラブルの処理を迅速に実行することができる。
【０１６９】
なお、第１の音声出力部である原稿ガラス１３は、ユーザーがＡＤＦユニットＣを回動操作することにより、原稿ガラス１３の上面が外部に露出した状態になって、第１振動伝達遮断機構７１が振動伝達状態になる構成になっており、このような構成は、第３〜第９の音声出力部の構成と異なっている。しかし、第３〜第９の音声出力部と同様に、ＡＤＦユニットＣを回動操作したユーザーは、原稿ガラス１３の近傍に位置しているために、原稿ガラス１３の上面から出力される音声を確実に聞き取ることができる。しかも、原稿ガラス１３の上面が開放されない状態（外部に露出されない状態）では、原稿ガラス１３の上面から音声が出力されないために、原稿ガラス１３の近傍にユーザーが位置しない状態で周囲に音声が出力されることによって周囲の人に不快感を与えるおそれがない。
【０１７０】
さらには、原稿ガラス１３から出力される音声が、原稿ガラス１３上において原稿が所定の状態でないことを内容とする場合には、迅速に原稿を所定の状態に修正することができる。また、原稿ガラス１３から出力される音声が、両面コピー時の原稿処理に関する音声ガイダンスの場合にも、ユーザーは、音声ガイダンスに従って、原稿ガラス１３上の原稿を迅速に操作することができる。
【０１７１】
さらに、第２の音声出力部である排紙トレイ２０ａの上面は、装置本体Ａの外部に対して常時、露出しているが、その近傍においてトラブルが発生した場合にのみ、第２振動伝達遮断機構７２を振動伝達状態として、排紙トレイ２０ａの近傍のトラブルに関する音声を排紙トレイ２０ａから出力するようになっている。このような構成によっても、ユーザーは、音声が出力される近傍においてトラブルが発生していることを知ることができ、トラブルに対して迅速に対処することができる。
【０１７２】
なお、排紙トレイ２０ａは、外部に露出しているものの、その上面が画像読取部Ｂによって覆われた状態になっているために、排紙トレイ２０ａの上面から出力される音声が、広範囲に伝達されることが抑制される。従って、周囲の人に不快感を与えることは抑制される。
さらに、本実施形態では、１つの音声振動発生器３２から出力される機械的振動を、既存の開閉部材等による複数の音声出力部に伝搬させる構成であるために、複数のスピーカーをそれぞれ異なる個所に配置して、各スピーカーからそれぞれの配置個所の近傍のトラブル等に関する内容の音声を出力する構成とする場合のように、複数のスピーカーを必要としない。これにより経済性が向上する。
【０１７３】
また、複数のスピーカーを使用する場合には、ユーザー操作により、それぞれのスピーカーの音声を装置本体の外部に出力させる構成とするためには、各スピーカーに対する配線がユーザー操作される部材に干渉しないように処理する必要がある。これに対して、ユーザーが操作される部材によって機械的振動を伝達および遮断する本実施形態の構成では、そのような配線の処理が不要であって、比較的簡潔な構成とすることができる。
【０１７４】
［変形例］
なお、上記の実施形態では、第２の音声出力部としての排紙トレイ２０ａと、第２伝搬経路３４ｂの先端部との間に設けられた第２振動伝達遮断機構７２において、ソレノイド７２ｂを使用して、排紙トレイ２０ａと、第２伝搬経路３４ｂの先端部とを機械的振動の伝達状態と遮断状態とに切り替える構成であったが、このような構成に限らず、図１７に示すように、ソレノイド７２ｂに代えてモーター７２ｍを使用する構成としてもよい。
【０１７５】
この場合、板金によって構成された第２伝搬経路３４ｂの先端部は、排紙トレイ２０ａにおける排紙ローラー２９側の側部の下方に位置している。第２伝搬経路３４ｂの先端部は可撓性を有している。第２伝搬経路３４ｂの先端部の下方には、第２振動伝達遮断機構７２を構成する押し上げ部材７２ｈが設けられている。押し上げ部材７２ｈは、第２伝搬経路３４ｂの先端部を排紙トレイ２０ａに向けて押し上げるようになっており、回転体７２ｇに取り付けられている。
【０１７６】
なお、押し上げ部材７２ｈの先端部は、第２伝搬経路３４ｂの先端部からの機械的振動が伝搬されることを抑制するためのスペーサー７２ｉが設けられている。
第２振動伝達遮断機構７２には、モーター７２ｍの回転を、回転体７２ｇに伝達する一対の減速ギア７２ｅおよび７２ｆが設けられている。モーター７２ｍは正転および逆転可能になっている。
【０１７７】
押し上げ部材７２ｈは、通常は、第２伝搬経路３４ｂの先端部と排紙トレイ２０ａとが振動遮断状態になるように、第２伝搬経路３４ｂの先端部から離間した状態になっている（図１７の破線参照）。このような状態で、モーター７２ｍが正転されると、モーター７２ｍの回転（正転）が、一対の減速ギア７２ｅおよび７２ｆを介して回転体７２ｇに伝達されて、回転体７２ｇの回転（正転）によって押し上げ部材７２ｈが上方に回動される。これにより、押し上げ部材７２ｈの先端部が、可撓性を有する第２伝搬経路３４ｂの先端部に当接し、第２伝搬経路３４ｂの先端部を上方に湾曲させて、排紙トレイ２０ａの下面に接触させる（図１７の実線参照）。
【０１７８】
このような状態になると、第２伝搬経路３４ｂの先端部と、排紙トレイ２０ａとが振動伝達状態になり、第２伝搬経路３４ｂの先端部に機械的振動が伝搬されると、その機械的振動が排紙トレイ２０ａに伝達される。
このような状態で、モーター７２ｍを逆転すると、モーター７２ｍの回転（逆転）が回転体７２ｇに伝達されて、回転体７２ｇの回転（逆転）によって押し上げ部材７２ｈが下方に回動される。これにより、押し上げ部材７２ｈの先端部が、第２伝搬経路３４ｂの先端部から離間する。このような状態になると、可撓性を有する第２伝搬経路３４ｂの先端部は、自身の可撓性によって、排紙トレイ２０ａの下面から離間した状態になり、第２伝搬経路３４ｂの先端部と、排紙トレイ２０ａとが振動遮断状態になる。
【０１７９】
このような構成の第２振動伝達遮断機構７２も、モーター７２ｍの正転および逆転が制御部４１によって制御されて、前記実施の形態と同様に、所定のタイミングで、第２伝搬経路３４ｂの先端部と、排紙トレイ２０ａとが振動伝達状態とされる。
［他の変形例］
なお、本発明は、１つの機械的振動発生器３２を設ける構成に限らず、２以上の音声振動発生器を設けて、それぞれの音声振動発生器から出力される機械的振動を、それぞれの音声振動発生器が担当する２以上の音声出力部へ切り替えて伝搬させる構成としてもよい。
【０１８０】
さらに、上記の実施形態では、排紙トレイ２０ａ、前扉２０ｂ、手差し給紙台６５のそれぞれにおいて、それぞれの近傍における２か所の状態変化を順番に検出して、それぞれの状態変化の両方に関する内容の音声を出力する構成であったが、いずれか一方のみの状態変化を検出して、その状態変化に関する内容の音声を出力するようにしてもよい。
また、本発明に係る画像形成装置は、カラー画像を形成するＭＦＰ装置に限るものではなく、モノクロ画像を形成する構成であってもよい。さらに、本発明は、ＭＦＰ装置に限らず、原稿搬送装置を備えた構成であれば、カラーまたはモノクロの画像を形成できる複写機、ＦＡＸ等の画像形成装置にも適用できる。
【産業上の利用可能性】
【０１８１】
本発明は、所定個所の状態変化を音声によってユーザーに伝える技術として有用である。
【符号の説明】
【０１８２】
Ａ        画像形成装置本体
Ｂ        画像読取装置
Ｃ        ＡＤＦユニット
１４      操作パネル
１４ｂ    両面コピーモードスイッチ
２０ａ    排紙トレイ
２０ｂ    前扉
２９      排紙ローラー
２２Ｙ、２２Ｍ、２２Ｃ、２２Ｋ      プロセスユニット
２９Ｙ、２９Ｍ、２９Ｃ、２９Ｋ      トナーカートリッジ
３２      音声振動発生器
３３      振動板
３４ａ、３４ｂ、３４ｃ、３４ｄ、３４ｅ、３４ｆ、３４ｇ、３４ｈ、３４ｉ
伝搬経路
６１Ａ、６１Ｂ、６１Ｃ、６１Ｄ      給紙カセット
６２Ａ、６２Ｂ、６２Ｃ、６２Ｄ      繰り出し経路
６３      給紙経路
６４      右扉
６５      手差し給紙台
６６      搬送経路
６８      排紙経路
６９      手差し経路
７１、７２、７３、７４、７５、７６、７７、７８、７９      振動伝達遮断機構
８０      原稿センサー
８１      ＡＤＦ開閉センサー
８２      排紙ＪＡＭセンサー
８３      前扉開閉センサー
８４      搬送ＪＡＭセンサー
８５ａ、８５ｂ、８５ｃ、８５ｄ      ユニット着脱センサー
８６      右扉開閉センサー
８７      給紙ＪＡＭセンサー
８８      手差し開閉センサー
８９      手差しＪＡＭセンサー
９１      手差しシートセンサー
９２ａ、９２ｂ、９２ｃ、９２ｄ      カセット装着センサー
９３ａ、９３ｂ、９３ｃ、９３ｄ      繰り出しＪＡＭセンサー
９４ａ、９４ｂ、９４ｃ、９４ｄ      給紙センサー
９５      排紙高さセンサー
９８ａ、９８ｂ、９８ｃ、９８ｄ      トナー濃度センサー
９９ａ、９９ｂ、９９ｃ、９９ｄ      トナーカートリッジセンサー
【図１】
0005794051.tif 000002
【図２】
0005794051.tif 000003
【図３】
0005794051.tif 000004
【図４】
0005794051.tif 000005
【図５】
0005794051.tif 000006
【図６】
0005794051.tif 000007
【図７】
0005794051.tif 000008
【図８】
0005794051.tif 000009
【図９】
0005794051.tif 000010
【図１０】
0005794051.tif 000011
【図１１】
0005794051.tif 000012
【図１２】
0005794051.tif 000013
【図１３】
0005794051.tif 000014
【図１４】
0005794051.tif 000015
【図１５】
0005794051.tif 000016
【図１６】
0005794051.tif 000017
【図１７】
0005794051.tif 000018